(57)【要約】  本システムは、測定されているシステムによって放出された電波および磁気波の測定に基づいている。地質学的断層、地下水、鉱脈、財宝、石油貯留槽がこのシステムによって探知される。地震が予測される。人工地震波が誘発される。システムがレーダとして使用される。人体、動物、植物の電流が測定される。世界の大地のおよび惑星の構造が解明される。地球および天体の電気的および磁気的な構造が判定される。材料および生物の波形状が判定される。本システムは、測定ロッド（４）およびボウ（３）、ロッドおよびボウの周りに巻かれたコイル、電流計（１９）、電流制御器（２０）、電子頭脳（２５）、電子回路（２６）、センサ（２９）、コンピュータ（２７）、望遠鏡（７５）、小さな、および大きな直径のケーブル網、望遠鏡およびアンテナを作動させるシステムを備える。【選択図】図１
2010534850.tif 000002
【特許請求の範囲】
【請求項１】
地質学的断層、地下水、地震、鉱脈、財宝、石油、および遺跡の探知、人間の脳と身体の電流の測定、地球の地質学的、地球化学的、電気的、および磁気的な構造の探知、月、太陽、恒星、銀河の電場と磁場の測定およびその構造の解明、植物およびその他の生命体の電流の測定、海および海洋の構造の解明に関するデバイスおよび方法であって、
その軸の周りで回転可能な測定ロッドおよびその組、平坦な測定ロッドおよびその組、１つの測定ボウおよびその組、ロッドおよびボウの周囲に巻かれたコイルワイヤ、電流計、電流制御器（加減抵抗器、バリアック、電子電流制御器）、オン／オフ・スイッチ、電源、測定ケーブルおよびネイル、水で満たされ、導体によって前記測定ネイルに接続された測定ホース、方向トレイ、ロッド用軸受、カウンタウェイト、バネおよび振り子システム、アセンブリスタンドおよびテーブル、接続ケーブルおよび部材、ならびに磁石によって測定を行うために前記ロッドに接続された磁石を備えることを特徴とするデバイス。
【請求項２】
固定されたステーションにおける測定用デバイスであって、さらに自動電流制御器、センサ、プログラム可能な電子頭脳、電流計によって測定された電流値をコンピュータに伝達する電子回路、コンピュータ、前記コンピュータに接続されたプリンタ、およびコイル冷却システムを備えることを特徴とする、測定用デバイス。
【請求項３】
システムの補足としての空間の探索および測定に使用され、望遠鏡と、ターゲティング（方向）ネイルおよびロッドと、広く、皿形状のワイヤアンテナと、幅広い直径の走査ディスクおよびアセンブリ、ならびに前記望遠鏡とともにその組立て、使用および移動を可能にする接続部材と、前記望遠鏡、アンテナ、および走査ディスク用の作動システムとを備えることを特徴とする、請求項１および２に記載のデバイス。
【請求項４】
任意の種類の金属、金属合金、グラファイト、木材、または帯電の特徴を有する任意の材料、あるいは前記材料から生成された管またはケーブルから作製されることを特徴とする、請求項１に記載の測定ロッドおよびボウ。
【請求項５】
任意の種類の金属、金属合金から作製され、コイルワイヤ、光ファイバケーブル、および水で満たされた非常に薄いホースからなることを特徴とする、請求項１に記載の測定ケーブルおよびホース。
【請求項６】
それらが導電性の材料から作製されることを特徴とする、請求項１および３に記載の測定ネイルおよびターゲティング（方向）ネイルまたはロッド。
【請求項７】
地球の核までの距離を感知し、前記デバイスによって、地球から到達する波、およびこれらの波によって生成された電場および磁場を安定化させる電流を測定し、前記波の形状を判定し、前記波の特徴を識別することによって、地球の深度における地質学的な、地球化学的な、電気的な、および磁気的な構造を解明するように、請求項１に示された測定ケーブルを調整する方法。
【請求項８】
深度における海および海洋の電流値の特徴を前記デバイスにより測定し、海および海洋の表面に請求項１に示した前記測定ケーブルを配置し、前記ケーブルの端部にある前記測定ネイルを水中に浸し、バルーンのような材料によって前記ケーブルが前記表面に残ることを確実にすることにより、前記ケーブル網の上でその波形状を判定することによって、層の変化、塩比率、暖流および寒流の境界および深さを探知する方法。
【請求項９】
測定ネイルおよびケーブル、コイルワイヤ、光ファイバケーブル、および水で満たされた薄いホースをアンテナとして使用することによって、断層、水、鉱脈、石油、地球の深部にある財宝、地球の層に関連するエネルギー、電気および磁気データ、これらのケーブル、ケーブル網、およびホースの上の空間および天体に関連する電流を測定する方法。
【請求項１０】
地質学的断層、傾斜、および断層の方向を探知し、その電流を地震、地下水、鉱脈、石油、空間探知システムを使用して測定する方法。
【請求項１１】
地下水、河川、および池を地震、地下水、鉱脈、石油、空間探知システムによって探知する方法。
【請求項１２】
前記地下水、河川、および池の深度を前記測定デバイスによって測定し、その流量を探知し、管およびチャネルから流れる水の流量を、その電流を前記デバイスによって測定することによって探知する、請求項１１に記載の方法。
【請求項１３】
地震、地下水、鉱脈、石油、空間探知システムによって、地震および火山の活動を前もって予測および探知する方法。
【請求項１４】
異なる方向から到達する地震波を捕捉し、様々な方向に向けられた測定ネイルまたはロッドおよびケーブルを介して、その電流を測定することによって、地震の方向および場所を判定する方法であることを特徴とする、請求項１３に記載の方法。
【請求項１５】
地震波を減衰する特徴を有する波を放出する物質を介して、カウンタ波を送ることによって地震波を消失させる方法であることを特徴とする、請求項１３に記載の方法。
【請求項１６】
隠された波が、地震波を強化する物質の上で強化する波を送ることによって表出され、その人工地震波がこの方法によって生成されることを特徴とする、請求項１３に記載の方法。
【請求項１７】
地球およびマグマ層の深度を感知するのに十分に長い測定ケーブルを使用し、電流の変化によってマグマ活動を分析することにより、デバイスによって前記地球のより深い点における電流の変化を測定することによって、地震、前記地震が起こる深度、および火山活動を予測する方法であることを特徴とする、請求項１３に記載の方法。
【請求項１８】
地震、地下水、鉱脈、石油、空間探知システムによって測定され、探知された各物質に固有の電流値、電気および磁気の値、ならびに波形状を利用することにより、鉱脈、財宝、および石油貯留槽を探知する方法。
【請求項１９】
前記デバイスによって、鉱脈、財宝、および石油貯留槽の深度、厚さ、および領域を探知するための、請求項１８に記載の方法。
【請求項２０】
惑星、月、太陽、恒星、銀河、超新星、ブラックホール、および宇宙に関係するその他の構造の電流を測定し、その電場および磁場を判定し、その構造を解明し、惑星、銀河、および同様の構造の水および生命の痕跡を探索することに関連する測定デバイス、ステーション、および測定方法。
【請求項２１】
波形状を判定し、天体に目標を定める測定ケーブル網の上で天体の波の特徴を探知し、これらのデータを利用することにより、その構造を解明し、生命の痕跡を探索し、前記波を分析するときにそれらについての情報を得るための、請求項２０に記載の方法。
【請求項２２】
人間の脳および身体のエネルギー、およびそれに関する電波および磁気波によって生成された電流の測定のときに得られたデータ、ならびに電気および磁気のデータを使用し、波のモデルの判定することによって、病気を診断および治療し、このシステムによって異なる物質の上で得られた波を生理学、心理学上の、性的治療要素として使用する方法。
【請求項２３】
内臓の構造が、測定ケーブルを血管に接続し、前記ケーブルに生成された前記波によって解明され、連続して生成された他の波を監視し、材料の波を波の線の上の外側から送りそうして輪郭が描かれることによって局所的な点に治療を加える、請求項２２に記載の方法。
【請求項２４】
同じ方法が動物および他の生命体にも適用される、請求項２２および２３に記載の方法。
【請求項２５】
空、陸地、および海の乗り物によって生成された電波および磁気波を捕捉するためのケーブルおよびアンテナを備えるデバイス、およびそれに関連する方法。
【請求項２６】
鉱物、岩、および様々な物質の化学組成の中の成分を探知し、地震、地下水、鉱脈、石油、空間探知システムによって有機化合物の化学結合構造を解明する方法。
【請求項２７】
測定ケーブルの上のデバイスによって、地震、地下水、鉱脈、石油、空間探知システムを使用して、測定ロッドを線の上に保持することにより、前記線が空中にある場合、測定ネイルおよびケーブルを線に標的を設定し、壁にある場合は、前記測定ケーブルに接続された測定ネイルを壁に接触させることにより、隠され、露出した電気線を通過する電流を探知および測定する方法。
【請求項２８】
地震、地下水、鉱脈、石油、空間探知システムによって、植物の電流値を測定し、その波形状を判定する方法。
【請求項２９】
地震、地下水、鉱脈、石油、空間探知システムによって、火炎および炎の電流を測定する方法。
【請求項３０】
ケーブルが波の形状を判定するために使用され、前記波の形状が測定ロッドによってケーブルの上で判定され、波長および振幅が測定され、前記波の電流が波の線の上で前記デバイスによって測定される方法。
【請求項３１】
コイルワイヤ、水で満たされたホース、および光ファイバケーブルが、ケーブルの代わりに使用されることを特徴とする、請求項３０に記載の方法。
【請求項３２】
地下の構造が、水平位置にされた波の上のケーブル網を介して３次元で調査されることを特徴とする、請求項３０に記載の方法。
【請求項３３】
波の最上点に向けられたネイルに接続された測定ケーブルを接続することによって、小さな波から大きな波を得る方法。
【請求項３４】
異なる測定ケーブルから異なる標本へ接続し、ケーブルのもう一方の端部を接続することによって、大きな波を得る方法。
【請求項３５】
地震、地下水、鉱脈、石油、空間探知システムによって、いくつかの物質の上で得られた波を他の波を消失させることに使用する方法。
【請求項３６】
材料および生命体によって放出された波が、地震、地下水、鉱脈、石油、空間探知システムによって通信目的用に使用され、前記デバイスが前記目的のために使用される方法。
【請求項３７】
電流を測定デバイスのロッドのコイルに供給することによって行われる測定が、電流を供給する代わりにロッドに磁石を接続し、測定されるシステムの磁場の力を安定化させるために磁石を加え、除去することによって磁石によって行わる方法。
【請求項３８】
通常の電磁放射の影響により、ロッドが互いに反発し合う場合、および同様な場合において、それらが互いに引き付け合うようにデバイスの測定ロッドのコイルに電流を供給するとき生成される電場および磁場の電流が測定される方法。
【発明の詳細な説明】
【技術分野】
【０００１】
本発明は、地質学的断層の探知、地震の予知、人工地震の生成、地下水の探索と探知、鉱脈の探索と探知、石油の探索と油層の探知、月、太陽、惑星、恒星、銀河の電場と磁場の測定、およびそれらの表面画像の取得、惑星の地質学的な構造の解明、人間の脳と身体の電流の測定、およびこれらのデータの医学分野への使用、地下財宝と遺跡の探知、植物の電流値の測定、飛行物により放出された波の測定、およびこれらのデータのレーダシステムとしての使用、岩石および鉱物の化学構造の解明、このシステムを使用して得られたデータの通信目的への使用に関する。
【図面の簡単な説明】
【０００２】
【図１】測定ロッドのハンドル部分（１）、ロッドの周りに巻かれたコイル（３）、ロッド（４）の異なる形状を示す図である。
【図２】測定ロッドのハンドル部分（１）、ロッドの周りに巻かれたコイル（３）、ロッド（４）の異なる形状を示す図である。
【図３】測定ロッドのハンドル部分（１）、カウンタウェイト（２）、ロッドの周りに巻かれたコイル（３）、ロッド（４）の異なる形状を示す図である。
【図４】測定ロッドのロッドの周りに巻かれたコイル（３）、ロッド（４）の異なる形状を示す図である。
【図５】測定ロッドのハンドル部分（１）、カウンタウェイト（２）、ロッド（４）長手方向のコイルの巻き（５）の異なる形状を示す図である。
【図６】ロッド（７）、接続ケーブル（６）、コイルの巻き（３）とともに、ボウ形の測定ロッドを示す図である。
【図７】接続ケーブル（６）、コイル（３）、並列接続の形態（８）とともに、ロッドの周りに巻かれたコイルワイヤの接続形態を示す図である。
【図８】ロッドのハンドル（１）、軸受（９）、コイル（３）、カウンタウェイト（２）、バネまたは振り子（１０）、軸受が接続されるトレイ（１１）、ロッドとともに回転する導電性石炭ロッド（１２）、石炭がそれに擦ることによって電流をそこから受ける導電性トレイ（１３）、接続ケーブル（６）、小型の玉軸受（１４）とともに、ロッド用の軸受の形態、およびロッドに関する異なる接続形態を示す図である。
【図９】ロッド（４）、デバイスの使用形態の概略図、走査形態（１５）、電流を測定する形態（１６）（図１７の簡単な概略図）とともに、ロッドおよびデバイスの概略図である。
【図１０】ロッドのハンドル（１）、軸受（９）、コイル（３）、ロッド用のカウンタウェイト（２）、ロッドの回転の均衡を保つバネまたは振り子（１０）、軸受が接続されるトレイ（１１）とともに、ロッドから軸受の接続の形態を示す図である。
【図１１】ロッドのハンドル（１）、手（１７）、コイル（３）、接続ケーブル（６）とともに、ロッドを手に保持する形態を示す図である。
【図１２】測定ロッド（４）、接続ケーブル（６）、コイル（３）、電流計（１９）、電流制御器（２０）、オン／オフ・スイッチ（２１）、電源、バッテリまたは蓄電池（２２）、ロッドを保持する手または軸受（１８）、ＡＣまたはＤＣ電流変成器（２３）とともに、デバイスの測定回路を示す図である。
【図１３】規則的な電場に直交して入るロッドの電荷の分布を示す図である。
【図１４】測定ロッド（４）、コイル（３）、センサ（２９）、電源（２２）、自動電流制御器（２４）、電流計（１９）、プログラム可能な電子頭脳（２５）、電流計で測定された電流をコンピュータに伝達する電気回路（２６）、システムを制御し、データを記録しグラフ化するコンピュータ（２７）、冷却コイル用の水スプレイシステム（２８）、ＡＣまたはＤＣ電流変成器（２３）、オン／オフ・スイッチ（２１）、ロッドを保持する手または軸受（１８）とともに、測定ステーション用に設計されたデバイスの形態を示す図である。
【図１５】断層の裂け目（３０）、断層幅（３１）、断層の裂け目の上で交差する測定ロッド（１５）とともに、地質学的断層を探知する測定デバイスの概略図である。
【図１６】断層の裂け目（３０）、断層の方向（３２）、ロッドの振動方向（３３）、ロッド（４）とともに、地質学的断層の方向における測定ロッドの移動の概略図である。
【図１７】断層の裂け目（３０）、測定ロッド（４）、コイル（３）、ロッドを保持する手または軸受（１８）、電流計（１９）、電流制御器（２０）、オン／オフ・スイッチ（２１）、電源、バッテリまたは蓄電池（２２）、ＡＣまたはＤＣ電流変成器（２３）、ロッドの間の距離の調整（３４）とともに、回路としての断層の電流の測定を示す図である。
【図１８】断層の裂け目の垂直成分（３５）、土地の表面に打ち込まれたネイル（３６）、測定ケーブル（３７）、ロッドが交差する点での断層の活動の深度（３８）、異なる点における断層の活動の深度（３９）、ケーブルの上のデバイスによって前記深度における電流を測定すること（１６）、断層が活動している深度におけるケーブルの上でロッド交差させること（１５）、大地の上（４０）、大地の垂直断面（４１）とともに、断層の傾斜方向および活動の深度を概略的に示す図である。
【図１９】測定ケーブル（３７）、測定ネイル（３６）、大地の上（４０）、デバイスによる測定（１６）、ネイルが打ち込まれる場所と、ケーブルの上で測定が行われる点との間の水平距離（４２）、ネイルが打ち込まれる場所と測定が行われる場所との間の高度差（４３）、ネイルが打ち込まれる場所の測定された実際の深度（４４）とともに、ケーブルの上で測定が実施される点の深度の測定を概略的に示す図である。
【図２０】断層の裂け目の垂直成分（３５）、断層の水のあるレベルでの電荷（＋および−）の分布、水のレベル（４５）、地面の上（４０）とともに、断層のコンデンサ・モデルの概略図である。
【図２１】水が始まる深度およびその垂直成分（４６）、第２の帯水層が始まる深度およびその垂直成分（４７）、第３の帯水層が始まる深度およびその垂直成分（４８）、水の層が終端する点およびその垂直成分（４９）、測定ケーブル（３７）、ケーブルの上のデバイスによる関連する深度の測定（１６）、水の上の層（５０）、第１の帯水層（５１）、第２の帯水層（５２）、第３の帯水層（５３）、不透水層（５４）、測定ネイル（３６）、大地の上（４０）、断層の線（３０）とともに、ケーブルの上の断層の線上の水の層の深度および厚さの測定の概略図である。
【図２２】地下水貯留槽（５５）、地下水貯留槽の境界（５６）、地下水貯留槽の開始深度（５７）、第１の帯水層の厚さ（５８）、第２の帯水層の厚さ（５９）、測定ネイル（３６）をとともに、池の形の地下水の探知の概略図である。
【図２３】地下河川の境界（６０）、測定ケーブル（３７）、ロッドまたはネイルの方向（６１）、方向トレイ（６２）、測定ネイル（３６）、地下河川が流れる深度（６３）、地下河川の深度（６４）、河川の流量の測定（１６）、河川の流れ方向における電流の測定（１６）、地下河川の方向（６５）、方向試験（６６）とともに、地下河川の探知の概略図である。
【図２４】断層線（３０）、方向ネイルまたはロッド（６１）、方向トレイ（６２）、測定ケーブル（３７）、デバイスによる測定（１６）、北（Ｎ）とともに、地震測定における方向探知の概略図である。
【図２５】単一の地震に関連する電流−時間グラフの例を示す図である。期間（６７）は測定が行われる点から地震が開始する場所の距離に関する情報を提供し、（６８）は、地震の時間、（Ａ１）は地震のマグニチュードを判定する電流割合である。
【図２６】最初に電流が一定のままになるまでの期間（６７）、地震の主な衝撃の時間（６８）、地震のマグニチュードを判定する電流の割合（Ａ１）とともに、単一の地震に関連する電流−時間グラフの例を示す図である。
【図２７】最初に電流が一定のままになるまでの期間（６７）、地震の時間（６８）、地震のマグニチュードを判定する電流の割合（Ａ１）とともに、単一の地震に関連する電流−時間グラフの例を示す図である。
【図２８】連続した地震に関連する電流−時間グラフの例を示す図である。
【図２９】鉱のレンズ（ヘッド）の境界（６９）、測定ケーブル（３７）、鉱脈の深度（７０）、鉱脈のレンズの厚さ（７１）、鉱脈の電流の測定（１６）、測定ネイル（３６）とともに、鉱脈の探知の概略図である。
【図３０】測定される天体（１６）に標的を設定する導電性のネイルまたはロッド（６１）、導電性のネイルまたはロッド（６１）の代わりに接続できる様々なアンテナ（７２、７３、および７４）とともに、月、太陽、恒星、惑星、および銀河の電流の測定の概略図である。
【図３１】ターゲティングネイル（６１）、測定ケーブル（３７）、望遠鏡（７５）、惑星（７６）、標的を設定された点の電流の測定（１６）、広い直径の走査ディスク（７７）、コンピュータ制御された作動システム（７８）とともに、惑星および同様の構造に行われる詳細な実験の概略図である。
【図３２】測定ケーブル（３７）、測定ネイルまたはアンテナ（６１）、作動システム（７９）、デバイスの測定手段（１６）、飛行物（８０）、半球形の導電性アンテナ（８１）とともに、レーダとしてのデバイスの使用を示す図である。
【図３３】ネイルに接続された測定ケーブル（３７）、ステーク（８２）、ステークに接続されたネイル（６１）、測定ロッド（１５）、飛行物（８０）、遠くの丘に配置された導電性のロッド（８３）とともに、レーダとしての第２の用途を示す図である。
【図３４】ロッドが交差する点（１５）、測定ネイル（３６）、測定ケーブル（３７）、水が始まる深度（８６）、水が終端する深度（８７）、ロッドが交差する点を接続する波の曲線（８４）、地下の水平の水の層の垂直の波のスクリーンの線（８５）とともに、ケーブルの上を流れる波の形状の判定を示す図である。
【図３５】波Ｎｏ．１（８８）、波Ｎｏ．２（８９）、波Ｎｏ．３（９０）、波Ｎｏ．４（９１）、測定ケーブル（３７）、水の層の上方レベル（８６）、水の層の下方レベル（８７）とともに、実験井戸の垂直成分における水のレベルで探知されたいくつかの波の形状を示す図である。
【図３６】ロッドが交差する点（１５）、測定ケーブル（３７）、波のスクリーンに直交して配置されたネイル（６１）、井戸の入口に打ち込まれたネイル（３６）、波のスクリーン（９２）、水平位置における波のスクリーンの調査（９３）、木のステーク（８２）、波の線の上での波の電流の測定（１６）、水平の波に直交して交差する断裂の波の軸（９４）、垂直の断裂の波がある点における波の上のロッドの交差（１５）とともに、垂直の波のスクリーンを水平位置にするときの調査を示す図である。
【図３７】測定ケーブル（３７）、水平軸（９５）、垂直軸（９６）、波の水平成分（９７）、波の垂直成分（９８）とともに、波の全体形状を示す図である。
【図３８】ケーブル（３７）、水平の水の層の軸（９５）、水平の波（９９、１００）とともに、実験井戸の第１６メートルにおける水平の水の層の波の形状を示す図である。
【図３９】金のブレスレット（１０１）、ケーブル（３７）、ケーブルに直交する金のブレスレットの水平軸（９５）、金の波（１０２）とともに、金の波の形状を示す図である。
【図４０】グラファイト標本（１０３）、測定ケーブル（３７）、ケーブルに直交するグラファイト標本の水平軸（９５）、グラファイトの波（１０４）とともに、グラファイトの波の形状を示す図である。
【図４１】ケーブル（３７）、測定された標本（１０５）、標本軸（９５）、波が配置される幅（１０６）とともに、羊毛、ゴム、サテンによって、および人間の脳によって生成された、入れ子になった波の形状を示す図である。
【図４２】測定ケーブル（３７）、木の水平軸（９５）とともに、ザクロの木（１０７）の波の形状を示す図である。
【図４３】測定ケーブル（３７）、標本の水平軸（９５）、ディーゼル標本（１０８）とともに、ディーゼル（ユーロディーゼル）の波の形状を示す図である。
【図４４】測定ケーブル（３７）、蛇口（１０９）、測定ネイル（３６）、線形のＤＣ電流波（１１０）、間欠的なＤＣ電流の波（１１１）、ネイルの水平軸（９５）とともに、蛇口から流れる水によって生成された波の形状を示す図である。
【図４５】測定ケーブル（３７）、ネイルの水平軸（９５）、絶縁された測定ネイル（６１）とともに、ケーブル内に留められた大型旅客航空機（１１２）の波の形状を示す図である。
【図４６】測定ケーブル（３７）、波の発生源（１１３）、標本の上に形成される第１の波（１１４）、波の干渉によって得られた第２の波（１１５）、波の干渉によって得られた第３の波（１１６）、ステーク（８２）、測定ネイル（６１）、ケーブルが接続された第１の点（１１７）、ケーブルが接続された第２の点（１１８）とともに、大きな波を得る概略図である。
【図４７】リングの周りのコイルの巻き（１１９）、ディスクの周りのコイルの巻き（１２０）、測定ボウの異なる形状（１２１）、ロッドの平らな形状（１２２）、コイルワイヤの巻き（３）とともに、測定ロッドおよびボウの様々な例を示す図である。
【発明を実施するための形態】
【０００３】
測定デバイスおよびシステム
測定装置は、電流計、測定ロッドおよび対になったその組、１つの測定ボウ（ｍｅａｓｕｒｉｎｇ  ｂｏｗ）およびその組、ロッドの周囲に巻かれたマグネットワイヤ、電流制御器、電源、測定ロッド用軸受、ロッドが均衡を保つことを可能にする振り子またはバネシステム、接続ケーブル、測定ケーブルおよびネイル、電流をもたらすオン／オフ・スイッチ、ダイレクショントレイ（ｄｉｒｅｃｔｉｏｎ  ｔｒａｙ）、補償コイルなどの部品を備える。これらは主要部品である。これらに加えて、電子式または電子機械式の自動電流制御器、自動電流制御器を制御する電子頭脳、電子頭脳に信号を送るセンサ、電流計において読みとられる電流値を伝達する電子回路、およびデータを保存し、必要な図絵を描くコンピュータ、作動システム、ターゲティングネイル（ｔａｒｇｅｔｉｎｇ  ｎａｉｌ）およびアンテナ、ならびに非常に大きな直径の測定ケーブルのネットワークを含む、使用の場所および目的によるシステムの自動測定のための補助装置がある。
【０００４】
前記デバイスは、測定されたシステムにより放出された電波および磁気波の測定に基づいている。これらの波は、その周りに電場および磁場を形成し、高い量のエネルギーを搬送し、空気、空間、大地、水、およびすべての種類の鉱脈の中で拡散し、必要とされ、距離によって影響を受けない場合に、電流などの導体を通って流れる。
【０００５】
デバイスの主要部品
１．測定ロッド
測定ロッドは、任意の種類の金属、金属合金、グラファイト、木材、または帯電の特徴を有する任意の材料から作製される。測定ロッドの一方の端部は、右／左に自由に移動し、もう一方の端部は、シャフトまたは軸受に接続され、あるいは手に保持され、ロッドは、それが接続されまたは保持される点の軸の周りで３６０度回転可能である。ロッドは、図１、２、３、４、５、６に見られるように異なる形状（ロッド、フィン、ボウ、リング、ディスク、または平板）にされている。ロッドの形状はこれらに限定されないが、ロッドの形状は測定の結果を変えることはない。ロッドの長さおよび直径は、使用の場所によって異なる寸法に設定される。測定中に、ロッドは手によって、または適切な軸受に装着することによって保持される。図４で与えられるロッドは、固定シャフトに保持され、それを中心に動く。ロッドが軸受に装着された場合、ロッドおよびその上に巻かれるコイルの重量の均衡をとるために、重り（２）がその後方部分に接続される。
【０００６】
マグネットワイヤ（３）がロッドの周囲に巻かれる。コイルは、ロッドの端部の周りに巻かれることに加えて、ロッド全体またはロッドのハンドル（１）の周りに巻かれる。コイル（３）は、横断方向だけでなく長手方向（５）にも巻くことができる。回路を通過する電流およびロッド間の距離は、コイルの巻線形式よりも重要である。コイルの巻線の巻き数および使用されるワイヤの断面が、導かれる電流に従って調整される。導かれる電流が少量である場合に、コイルワイヤの断面が細く、巻きがより少なくても十分である。導かれる電流の量が多い場合に、太い断面のコイルワイヤが使用され、多くの並列巻きが実施される。さらに、電流が上昇する場合に、より多くの巻きを有するコイルが必要になるので、異なる巻きを有する異なる組の対のロッドが提供される。コイルワイヤの端部は、図７で分かるようにロッドの底部に延出され、入力部および出力部は異なるケーブル（６）に接続される。次いで、２つのロッドのケーブルは、互いに並列に（８）接続される。ここでは直列接続も行うことができるが、並列接続によって低い電圧で多くの電流を導く機会がもたらされるので、並列接続がより適している。コイルに接続されたケーブルの部分は、絶縁され、ロッドに接続される。接続ケーブルがあまりにも太い場合、その引っ張りによりロッドの移動を妨害するので、ロッドは管状材料から作製される。コイルワイヤの端部は、図８でのように管を通過させられ、ロッドのハンドル（１）部品の下から接続ケーブル（６）に接続される。実際には、コイルワイヤの端部は導電性石炭（ｃｏｎｄｕｃｔｉｖｅ  ｃｏａｌ）（１２）に接続され、これらの石炭は、導電性トレイ（１３）に擦り付けることによって回転し、電流を受ける。したがって、ケーブルによって生じる引っ張りが低減する。電流は異なる電源からロッドのコイルに供給されるが、この場合には、別個の電流制御器および別個の電流計が電源ごとに必要とされ、電流の制御がより困難になる。そうした理由で、単一の電源からの供給がより適切である。ここで注意を払う必要のある点は、両方のロッドに巻かれるコイルワイヤと接続ケーブルは同じ直径および長さのものであることを確かにすることである。言い換えれば、両方のコイルの抵抗が同じ値のものである場合、電流が両方の枝に均等に分配される。コイルワイヤの代わりに、磁石が互いに反発するように、同様にロッドの端部に接続される。測定は磁石によっても行われ、または並列ケーブルがロッドに接続され、またはロッドが太いケーブルで作製される。測定は、これらのケーブルに強力な電流を通すことによって実施することもできる。しかし、最も容易な測定は、コイルによって行われる。測定ロッドは図９に概略的に示される。これらの概略図は測定図面において使用される。
【０００７】
２．電流計
電流計は、測定で使用される電流を判定する目的で測定が行われる場合に使用される。電流計は、測定ロッド、電流制御器、電源の間に直列に接続される。多目的のマルチメータおよびクランプメータも同じ目的に使用することができる。
【０００８】
３．電流制御器
システムではＤＣおよびＡＣ電流の両方が使用されるが、地面の条件ではＡＣ電流を提供することが困難であるので、一般にＤＣ電流が好ましい。電流制御器は、電流の強度を調整し、それを特定の値に固定することができるようにするために、必要である。この目的のために、加減抵抗器、バリアック、または使用される量の電流に耐性を有する電流制御器が用いられる。電流の変化の間で大きく変動することがあるので、異なるアンペアの範囲に耐性のあるいくつかの電流制御器がデバイスに接続される。
【０００９】
４．電源
バッテリまたはアキュムレータが電源として使用される。測定点が固定される場合、ＤＣ電流変成器、およびＡＣ電流変成器も使用される。
【００１０】
５．軸受
ロッドのハンドル（１）が装着され、その中でロッドが右／左に容易に回転できるようにする適切な軸受が使用される。摩擦損失が可能な限り低減されるように軸受が精密に生産される。さらに、軸受がすべての条件で均衡に達するために、軸受が右、左、上方、下方に回転することを確実にすることができ、これが調整可能に行われるべきである。均衡状態を監視するために、水平および垂直のウォーターゲージ（ｗａｔｅｒ  ｇａｕｇｅ）が装着される。軸受（９）のいくつかの例が図８および１０に概略的に与えられる。さらに、振り子またはバネ（１０）がロッドのハンドル（１）に装着され、それによってロッドを均衡状態に保つ。（ここでは、非常に薄く、軽いバネが使用される。それらがロッドの移動を妨害する場合、それらは使用されない可能性がある。）しかし、ロッドが軸受に装着されて使用される場合、電流がコイルに供給されるとき、電場および磁場、ならびにそれに関連する渦電流がロッドと軸受の間に生成され得る。これらの要因により、ロッドの移動が困難になる。この状態により、測定値の誤差が生じる。この問題を解消するために、摩擦面が可能な限り低減される。必要であれば、軸受の周りに場が生成され、それがロッドによって形成された電場および磁場を安定させる。どこかに、測定を永続的に行うために固定測定ステーションが確立される場合に、軸受が必要とされる。
【００１１】
一般に、測定は、ロッドを手で持ち運ぶことによって行われる。ロッドが手で持ち運ばれる場合、軸受、カウンタウェイト、またはバネの必要がまったくなくなる。この場合、使用者は自身の指（１７）の間の中にロッドのハンドル（１）を持つ。使用者は、自身の指を握ることも、放すこともない。使用者は、均衡のとれた様式で、ロッドを床に対して水平に保つ。ここでは、手は、軸受としての役割を果たし、コイルの重量およびロッドの接続ケーブルから生じる引っ張りの均衡をとる。ここでは、人間の手はその他の機能も有する。ロッドが、測定される場所または材料の磁場または電場に入る場合、人体の磁場はロッドに電流を生成し、磁場はこの電流にトルク効果を形成する。または、測定されるシステムの磁場は、ロッドに電流を生成する。この電流が手の磁場を通過すると、手の磁場がロッドにトルク効果を生成する。したがって、ロッドの移動が可能になる。さらに、＋および−の電荷分布が、電場に垂直に入る導体に生じる（図１３）ことは物理的に知られる事実である（この電荷分布は新しい情報ではなく、本発明の理解を促進するために行われるにすぎない）。通常、この電荷分布はロッド上で均一なので、ロッドは同じ比率で任意かつすべての方向から互いに引き合い、したがって、この場合にロッドには動きがまったく観測されない。人体によって形成された電場および磁場は、これらの電荷をロッドの端部に向かって集中させ、その移動を可能にする。こうした理由で、ロッドが手で持ち運ばれる場合に、軸受と比べてより信頼性のある測定が実施される。
【００１２】
６．可搬テーブル
それは、デバイスの部品が装着されるテーブルであり、容易に搬送可能であり、分解でき、軽量の材料から作製される。測定ロッドを除くデバイスの部品は、ボックスにも装着される。次いで、測定ロッドはケーブルによってデバイスに接続される。
【００１３】
７．接続ケーブル
それらは、電源と電流制御器の間、および電流計と測定ロッドの間に接続をもたらす絶縁されたケーブルである。これらのケーブルの直径および長さは、電流および使用の場所に従って調整される。
【００１４】
８．スイッチ
オン／オフ・スイッチは、電流をバッテリ、アキュムレータ、または変成器から回路に供給する。
【００１５】
９．測定ケーブルおよびネイル
測定ケーブルおよびネイルは、特に地下水、鉱脈、および石油の探索で深度を測定するために使用される。さらに、それらは地震波の方向を判定するために使用され、太陽、月、惑星、恒星、および銀河の電場および磁場を測定し、レーダとして、および大地の構造の解明でのデバイスの用途で使用される。こうした理由で、土地の条件で容易に搬送可能な細い直径を有する、好ましくは軽量のケーブルが使用される。必要であれば、ケーブルは互いに接続され、接続点が絶縁され、細長くされる。金属から作製されたステークまたはネイルが、測定が実施される点に打ち込まれる。ケーブルの一方の端部がこのネイルまたはステークに接続され、ケーブルは地面に適切に配置される。ケーブルの他方の端部が絶縁される。ケーブルがどの金属から作製されているかは重要なことではない。それは、任意の種類の金属または合金から作製することができる。さらに、コイルワイヤおよび光ファイバケーブルも使用される。同じ目的で、ワイヤおよび濡れたロープも使用されるが、これらは大地に接触する際に異なる点から電気を受けるので、間違った結果を生じる可能性がある。さらに、細いホースが水で満たされ、導電性ワイヤがホースの一方の端部からホース内の水の中に浸され、水漏れを防止するためにストッパによって、またはテープの周りを巻くことによって閉じられ、次いでそれは導電性測定ネイルに接続される。ホースのもう一方の端部は、閉鎖される。ホースは、ケーブルのように地面に置かれ、同じ目的のために使用される。
【００１６】
水で満たされたケーブルまたはホースは、ネイルが打ち込まれ、それ自体に等しい放射の電場および磁場を生成する場所で、大地の垂直成分での電気データおよび磁気データを自動的に探知する。この場は、ケーブルに悪影響を及ぼすだけでなく、ケーブルの右および左の特定の距離にも悪影響を及ぼす。ケーブルは、その端部に導体を備えて、さらなる目標物（航空機、恒星、惑星などの）を対象とする場合に、同じ機能を働かせる。
【００１７】
１０．方向トレイ
そのトレイは、方向を指し示すのを促進するために、その軸を中心に３６０度回転することができ、非導電性材料から作製され、その上に水平位置に測定ネイルが接続される。
【００１８】
測定回路
デバイスの部品は、図１２に示されるように互いに接続されて測定用に準備される。接続部において、ボルト、コネクタ、グリップ、ソケット、半田などの接続手段が使用される。測定できる状態にあるデバイスの位置が、スキャン位置（１５）および測定位置（１６）とともに図９に概略的に示される。これらによって、測定に関する図面作成を容易に行うことを目標とする。
【００１９】
測定ステーション
上述のデバイスは搬送可能であるので、すべての種類の土地の条件に使用できる。しかし、地震および空間の調査に関する測定において、測定の持続性を確実にするために特定の配置が選択され、ステーションがこれらの位置に建てられる。この目的で、特定の補助的なハードウェアがデバイスに組み込まれる（図１４）。第１に、ロッドが非常に精密に装着される（４）。次いで、センサが両方のロッド（２９）の外側に配置される。ここでは、センサの機能は、ロッドが互いに持続的に平行であることを確実にすることである。測定される位置のエネルギーが増加する場合、ロッドは互いに接近し、この場合センサによって送られる信号を評価するプログラム可能な電子頭脳（２５）が、電流を増加させるために自動電流制御器（２４）に指令を与え、コイルに供給された電流はロッドが互いに平行になるまで増加する。測定される位置のエネルギーが減少する場合、ロッドに加えられる電流は、ロッドを互いから離れて移動させる。このとき、電子頭脳は、電流を減少させるための指令を与え、電流はロッドが再び互いに平行になるまで減少する。その一方で、電流計から読みとられる電流値は、適切な電子回路を介してシステムに接続されるコンピュータ（２７）に継続的に伝達される。適切なプログラムによって、コンピュータはこれらのデータを継続的に画像に変換する。得られる画像は、コンピュータに接続されたプリンタチャネルを介して印刷される。その一方で、コイルは持続的に電流を導くので加熱する。水が特定の周期でそれらに噴霧され、コイル（２８）を冷却する。ここでは、空気の流れによって帯電が起こり、これによってデバイスの測定に間違った結果が生じるので、空調は、換気扇、ファンなどのデバイスを介して空気を吹き付けることによって実現されることはない。
【００２０】
デバイスおよびシステムの使用領域
１−地質学的断層探知方法
最新技術では、地質学的断層は、特に、山岳的地形での地表面の断層が裂けることによって残る痕跡を監視することによって探知される。断層によって残された痕跡が地面にまったくない場合、または痕跡が海底にある場合、地震探査法、重力探査法（ｇｒａｖｉｔａｔｉｏｎ  ｍｅｔｈｏｄ）、および比抵抗探査法などの地球物理学的方法が適用される。
【００２１】
本発明は、これらとは完全に異なる。それは、容易に適用でき、必要な投資が少なく、安価であり、信頼性の高い方法である。この方法によって、断層が、容易に主断層から副断層へ詳細に探知できる。断層は、衛星、航空機、ヘリコプタ、およびバルーンなどの媒体に測定デバイスを装着することによっても探知できる。この方法のように容易であり、信頼性が高く、経済的な方法は他には存在しない。
【００２２】
知られているように、断層は、都市の居住計画、地下水、採鉱、石油の探索、および地震に関して非常に重要なものである。都市の居住区域での断層が非常に安価かつ経済的な様式で探知できるので、都市の居住計画が作成され、断層の位置に関して得られた情報に従って建物の基礎が設置された場合に、地震の損害の可能性を最小限に抑えることができる。
【００２３】
この方法では、測定ロッドは、使用者（１７）の指もしくは掌の間に、またはその軸受（９）に装着された状態で、互いに平行に、かつ大地に水平に空中で保持される。重心に生じる変化により、ロッドが適切に、かつ均衡をとって保持されない場合、それらは外部要因なしに右／左に移動することができる。ここでは、測定は１つのロッドをそれぞれの手の中に入れ、２つのロッドによって行われる。特に、平坦なロッドも４つ組で使用される。この場合、ロッドは２人で使用すべきである。使用者がロッドを自身の指の間に保持している場合、使用者の指は軸受としての役割を果たす。この場合、ロッドは、通常の強さで、ロッド移動が妨害されない様式で使用者によって保持されるべきである。ロッドの周囲に巻かれたコイルは電流を与えられ、それによってロッドをわずかに帯電させる。この電流はロッドを反対の電荷で帯電させるように与えることができるので、同じ電荷で帯電させるように与えることもできる。反対の電荷で帯電された場合、この帯電の結果として、わずかな程度でもロッドは互いに引き合う。同じ電荷で帯電された場合、ロッドは互いに反発し合うので、非常に小さな断層の裂け目を探知する困難さがある可能性がある。ここでは、状況に従って選択が行われる。右手と左手の指先の間の電位差が電圧計によって測定される。使用者の指先の間に約１００ミリボルトの電位差がある場合、使用者の身体の電気エネルギーが操作を行うのに十分である。この場合、電流が供給されるか否かは問題にならず、または断層のエネルギーが高い場合に電流が少しも必要にならない可能性がある。使用者はこのように地面を歩く。断層をまたぐと、ロッドが自ずと移動し、断層を直交して横切る場合、ロッドは図１５に示すように交差する（１５）。ロッドが交差する点により、正確な断層の裂け目（ｒｕｐｔｕｒｅ  ｌｉｎｅ）が与えられる。使用者が、断層に向かって歩くと、ロッドは、右および左に開き、図１６に示すように揺動を生じる。このようにして、断層は非常に容易に探知できる。
【００２４】
断層が垂直に破断される場合、最初に交差した点が断層の第１の裂け目になる。前方にわずかに進められ、反対方向から戻される場合に、第２の断層の裂け目が発見される（１５）。これらの２つの裂け目の間の距離によって、断層の幅（３１）が与えられる。断層が非常に大きい場合に、例えば５０メートルの幅を有すると、ロッドは右および左の境界点、およびその間のいくつかの点で交差する。ロッドが交差するこれらの点は、一般に断層内で水を保持する水脈である。通常の断層だけでなく、岩脈、衝上断層、層変化、トランスプレッション帯（ｔｒａｎｓｐｒｅｓｓｉｏｎ  ｚｏｎｅ）、およびすべての種類の地質学的な形成境界がこの方法によって探知される。
【００２５】
断層が１つの裂け目のみを含むのではない場合があり、それは断層帯である。この断層帯は、互いに平行な数十個の裂け目からなる可能性がある。この場合、ロッドは各裂け目の上で個別に交差する。したがって、どれほど多くの裂け目がその領域にあるかが判定される。主断層を探知した後に、副断層が主断層に平行に歩くことによって探知される。領域内に複数の断層系がある場合、これらの系のすべての裂け目、および断層が交差する点が、この方法によって容易に判定できる。交差点で２つの断層が交差する場合、ロッドが両方の断層の方向に交差する。
【００２６】
裂け目が探知された後に、ロッドは、大地に水平に、交差点の上で空中に保持される。次いで、図１７に示すのと同じ電荷によってロッドを帯電させるように、ロッドのコイルに電流を供給することによって、ロッドが互いに反発し合うことが確実になる。電流の強度を電流制御器によって調整することによって、ロッドは互いに平行であることが確実になる。ここでは、ロッドが互いに平行であることを可能にするために、ロッドを反発させる電流は、断層がロッドを引くことを可能にする力を安定させる。したがって、断層が含むエネルギーに依存した電流の量が測定される。注意を引く必要のある点は以下の通りである。ロッド間の距離（３４）は、ロッドのハンドル（１）にロープを結ぶことによって特定の距離で固定され、または軸受の間の距離が特定の寸法に調整される。データのすべては同じ条件の下で取得され、次いで比較されるからである。例えば、ロッド間の距離が１０ｃｍとして調整される場合、電流は５アンペアであると測定され、ロッド間の距離が２０ｃｍに増加された場合、前記値は１０アンペアに上昇し、その距離が５ｃｍに縮小された場合、前記値は２．５アンペアに下降する。異なる寸法の値が得られた場合でも、最初に、選択された距離における、これらの値に対応する値が計算され、これらの結果に応じて比較が行われる。アンペアまたはミリアンペアとして特定の長さにおいて測定された断層の電流密度の値は、一般に断層の寸法および活動性、ならびに断層が保持する水の流れに関する情報を提供する。一般に、断層のエネルギーが大きいほど、断層がより大きく、より活動的である。
【００２７】
電流をロッドのコイルに供給することによって行われる測定は、電流を供給する代わりに、互いに反発し合うようにロッドに磁石を接続することによって行うこともできる。ここでは、磁場を均衡させる力が、マグネットをロッドに加え、または移動させることによって供給される。ここでも同様に、互いに反発し合うロッドの力は、断層がロッドに加える引く力を安定させる。
【００２８】
ロッドによって実施されたプロセスは、４つの平坦な測定ロッドを使用することによって行うこともできる。この場合には、各人が１つの掌の中に１つのロッドを保持することによって、地面で２人が走査を行うことができる。ロッドが何かを探知した場合、すべての４つのロッドの端部が同じ点で重なる。
【００２９】
ロッドによって実施されるプロセスは、図６に示されるボウ（７）形ロッドを介しても行われる。この場合に、単一のロッドが使用される。ボウの両端は掌の中に保持され、ボウの鋭い端部が前を向いて保持され、使用者はボウを大地に対して水平に保持して歩く。それは断層に接近すると、ロッドに人体内のエネルギーによって生成された場、またはコイルに供給された電流によって生成された電場および磁場が、断層の電場および磁場と相互作用し、その間に生成されたリーリング（ｒｅｅｌｉｎｇ）またはドローイング（ｄｒａｗｉｎｇ）の力に応じて、ボウの端部が上昇または下降する。しかし、ここでは、断層の電場および磁場が、断層の前で組を構成し、この場はボウが場の上に位置する前にボウを動かすので、ボウはロッドで動くようには裂け目の真上で動かず、裂け目に対して約０．５〜１ｍの距離のところで動く。上記に基づいて、断層の裂け目の最上部に、裂け目から空間に延出する規則的な電場および磁場があることが結論付けられる。この場は、ほぼ電気カーテンおよび磁気カーテンである。ボウがこのカーテンに接近すると、カーテンは、直ちにそれに応答し、ボウを離して保つ。このシステムでは、ロッドによるプロセスがより容易であるので、ロッドが重要視される。しかし、ロッドによって実施されるすべてのプロセスおよび測定（断層、水、地震などの探知および測定）をボウによって行うこともできる。
【００３０】
この方法によって、断層の傾斜および傾斜の方向が、容易に判定できる。この断面では、断層が含む電荷および電流量が増加するので、ロッドは、断層が水および鉱物に関して最も豊富である点の始まりで交差する。これに関連して、電場および磁場の強度、したがって放射量および放出されるエネルギー量が増加する。断層の地表面に痕跡があり、ロッドがこの痕跡に交差すると、断層が垂直断層であることが示される。痕跡とは異なる点で交差が起こると、断層がその方向に向かって傾斜していることが示される。例えば、交差が東西方向の断層における表面の痕跡の北に向かってより多く起こる場合、この断層は北に向かって傾斜していることが理解される。表面に断層の痕跡がまったくない場合、断層の垂直（直交）成分が調査される。ロッドが交差する点でネイルが打ち込まれる。測定ケーブルの一方の端部はネイルに接続され、地面に適切に配置され、それによって同じ高度になる。ケーブルのもう一方の端部は絶縁される。この場合、ケーブルはそれ自体の、地下の垂直の構造において測定できるすべてのデータを自ずと保持し、これらが水平位置を得ることを確実にする。これによって、水平位置で垂直成分を監視する機会がもたらされる。大地に打ち込まれるネイル、およびそれに結合されるケーブルが、ほぼ地下に対するアンテナとしての役割を果たす。関係する使用者は、走査においてとまったく同様に、自身の手の中に測定ロッドを互いに平行に、かつ大地に対して水平に保持し、図１８に示されるようにネイルから始めてケーブルの上を歩く。ケーブルの上でロッドが深さに関して断層の活動点（３８）に到達すると、それらは自ずと交差し（１５）、この点が記録される。次いで、ネイルとこの点の間の距離が計器を介して測定され、断層の活動が始まる深度が判明する。その後、ネイルをこの点の少し前および少し後ろに打ち込むことによって、断層の活動の深度が判明する（３９）。これらの傾斜が同じであり、第２および第３の点で深度がまったく得られない場合、断層は垂直断層である。第１の点よりも深い場所で活動点が見つかる（３９）と、これは断層がその方向に傾斜していることを意味する。断層の傾斜がこのようにして判定される。さらに、このシステムによって、断層の傾斜だけでなく、水平断層、層を有する土地における層の変化点、および層の間の距離も判定される。使用者がケーブルの上を歩き続けると、水平断層の位置に来た場合、またはそれぞれの層の変化の位置にある場合には必ずロッドが交差する。これは、水平断層の位置に来た場合、または層の変化の位置にある場合に、層の間に電位差（接触電位）があるので、異なる電場および磁場がこれらの点で形成されるからである。これらの値は、まったく同じにケーブルに反映される。これらの点は、ケーブルを介して記録され、測定され、その深度が判明する。次いで、ロッドを同じ電荷によって帯電させ（１６）、ロッドが平行な位置に維持されるように電流がロッドの端部にあるコイルに供給される。これらの深度のエネルギーに依存する磁場の力または電流密度が、ケーブルの上で測定される。ケーブルで測定が実施される点の深度の電流密度が、アンペアで測定される。さらに、測定された電流はこれらの点の電場、磁場、およびエネルギーに関する情報を提供する。ケーブルは、これらの点のすべての電気および磁気の特性を付帯する。ケーブルを介した測定が、以下のように実施される。ロッドは、互いに平行に、大地に水平にケーブルの上で空中に保持され（図１８）、その場合に、ロッドのコイルは電流を供給され、それらを互いに反発させる（１６）。ロッドが平行である場合、ロッドを反発させる電流は、ケーブルの上で形成される場の力を安定させる。ここでは、深度の問題がまったくない。何メートルものケーブルが設置されるが、そのような大きさの深度が測定される。ネイルが打ち込まれる点から始まるケーブルの長さにより、その点の深度が与えられる。ネイルが打ち込まれる点により、最上点が得られ、ケーブルの端部により、最深点が与えられる。例えば、５００メートルのケーブルが配置される場合、最後の点によって第５００メートルでの深度が与えられる。ここでは、ケーブルを同じラインおよび同じ高度に設置することが重要である。ケーブルに丸まりが生じる場合、ケーブの正味の長さではなく、ネイルが打ち込まれる点とケーブルの端点との間の水平距離の深度が測定される。同様に、地面の高度も重要である。ケーブルは、可能な限り同じ高度に配置される必要がある。ケーブル上の第１００メートルが測定されるが、ネイルが打ち込まれる場所が、測定が実施される場所よりも高度が１０メートル高いことを仮定すると、この場合に、第１００メートルでの深度が、測定される点の高度に従って測定される。すなわち実際には、ネイルが打ち込まれる点の第１１０メートルでの深度が測定される（４４）。
【００３１】
この方法について、考案が、断層の活動周期について形成できる。活動的な主要な断層帯では、互いに平行な大きな裂け目が探知される。何年間のうちに、大きな地震がこの断層系で再び起こるかが、履歴から判定できる。繰り返し周期と裂け目の数をかけると、断層の活動周期に関するおおよその情報が得られる。３０の主な平行な裂け目が断層系で探知され、この断層における大きな地震の繰り返し周期が２５０年であると仮定すると、断層の活動が２５０×３０＝７５００年続いたことを示すことができる。
【００３２】
これらの事象の理論は、以下のように説明できる。例えば、磁石は２つに分割されると、２つの異なる磁石になる。土地の片は、裂け目のラインにおいて異なる磁石のように挙動し、異なる磁場がこれらの位置に形成される。さらに、断層の摩擦表面に沿って連続的な移動およびトランスプレッションがあるので、連続的な帯電がこれらの領域に生じ、ここでその周囲とは異なる電場が形成される。それは他の物体にも生じるので、帯電は摩擦により断層表面にも生じる。さらに、断層は周囲よりも多くの湿気および水を含んでいる。この湿気および水は、コンデンサのように電荷を蓄積し（図２０）、同時に大地または大地の深度に形成された電流に対して導体としての役割を果たす。断層の摩擦、地球化学的反応、およびマグマの衝突によって形成された電流は、水を含む断層の区域でより強力に保持され、集積される。したがって、ここでは、異なる電場および磁場が形成される。一方で、Ｍａｃ．Ｐｌａｎｃｋの黒体放射に従って、物質はそれが含むエネルギー量に比例して放射する。加速する電荷は、Ｂｉｏｒｔ  Ｓａｖａｒｔの法則に従って放射を生成する。断層のコンデンサおよびここで生成された電流によって集積された電荷により、ここから放射された波の量も増加する。前記放射は、ここで電磁波の密度および磁場を生成する。測定ロッドが断層の磁場に入ると、この磁場がロッドのコイルを通過する電流に検流計のような磁気トルクを生成する。ロッドは、このトルクによって生成された、電荷の分布と断層の電場のロッドへの衝突（図１３）、ならびに磁場内で２つの導体の間に形成される相互のインダクタンスにより回転する際に交差する。こうして、断層が探知される。この点で、以下の異なる手法が提起できる。以降に説明されるように、鉱脈探知区域では各材料が特定の電流を有し、それに関連する放射がある。ロッドが断層の電場および磁場に入る場合、ロッドの自然の電気および磁気の光線が、断層の電気および磁気レイと相互作用する。断層のレイの流れがより多いので、反対の電荷を有するロッドのレイを帯電させることによって、ロッドは互いに引き付け合うことが確実になる。
【００３３】
このシステムでは、デバイスが測定するものは、磁場および電場のみではない。それは、これらのすべての特性を測定するが、非常に異なる特性を測定する。なぜなら、１つだけの電場および磁場がここで測定される場合、得られる値はそれがこの電場から離れて移動するとき低下すべきであるからである。それに対してこのシステムでは、ロッドが１０ｃｍの高さで保持される場合に得られる値は１ｍの高さで測定される値、さらには１０ｍの高さで測定される値と同じであることが判明している。そうした理由により、これらの値は、衛星、航空機、バルーン、およびヘリコプタなどの媒体にデバイスを装着することによって測定することもできる。通常の電場および磁場が測定される場合、これらの値は大地から離れて移動するとき低下しなければならない。それに対して、ここで測定される値は距離（高さ）に依存しない。この値は、高さに依存しないので、ここでは地面から空間に延出する規則的な電場および磁場がある必要があり、またはそれは電磁波の特徴を示す必要がある。なぜなら、Ｍｃ．ＰｌａｎｃｋおよびＬｏｕｉｓ  Ｄｅ  Ｂｒｏｇｌｉｅの電磁波理論によれば、光子のエネルギーは、それが移動する距離によって低下しないからである。例えば、太陽または恒星から投射された光子は、別の物質によって吸収され、または他の物質とエネルギー交換において結合しない限り、地球に到達するまでそのエネルギーを維持する。しかし、通常の電磁波は、電子、宇宙線などの帯電粒子から構成されない場合、電場および磁場によって影響を受けない。このシステムでは、測定される波は、電場および磁場によって影響を受け、実際に、それ自体で電場および磁場を生成するので、測定される波は帯電された粒子から構成されるべきであり、または電場および磁場を生成する、その波を囲む異なる種類の波があるべきである。この点において、以下の考案が提起でき、金属の表面に落ちる光子が、金属から電子を取り去ることによって電流を生成し（光電事象およびコンプトン事象）、したがって帯電が生じる。この場合に、ロッドの両方が同じ電荷によって帯電されるので、それらは互いに引き付け合わず、反発し合う。実際に、この事象は以下の実験によって試験される。ロッドが、測定を行うように点灯された電球の下で、一定期間、互いに平行に、かつ大地に対して水平に保持された場合、それらが互いに反発し合うことが観測される。この理由は、電球から到達する光子が両方のロッドからの電子を取り去り、両方のロッドを同じ電荷で帯電させ、ロッドを互いに反発させるからである。しかし、本発明によって測定される波は、ロッドを反対の電荷によって帯電させ、それらが互いに引き付け合うことを確実にする。したがって、このシステムによって測定された波は帯電され、その波は規則的な電場および磁場を生成する。言い換えれば、これらの放射は、通常の電磁波であるだけではなく、帯電された粒子から成り、またはこれらの放射は、電気および磁気の特性を示す異なる種類の波である。これらの波は、デバイスによって測定された特徴の区域においてより詳細に説明される。これらの波は極性を与えられ、線に沿って広げられる。
【００３４】
電球の下で行われた実験と同様に、ロッドが互いに反発し合う場合、互いに引き付け合うようにロッドのコイルに電流を供給する際に生成される電場および磁場の値は、電流において測定される。
【００３５】
２．地下水探知方法
地下水を探知するのに使用されることが知られている方法は、比抵抗探査法、地震探査法、ＮＭＲ（核磁気共鳴）法などの地球物理学的方法である。比抵抗探査法では、様々な深度での大地の抵抗が、特定の距離からケーブルによって大地に電流を供給する際に測定される。土または岩の構造がこれらの抵抗のデータに従って予測される。土または岩の透水性に従って、土または岩の構造が水を生み出すか否かについて予測が行われる。ほとんどの場合、これらの予測は不十分である。地震探査法では、地震波が特定の点から大地に送られる。これらの波の異なるユニットからの反射に従って、液体のレベルについて予測がなされる。ＮＭＲ法では、リングを介して大地に磁気波が送られる。液体から到達する波が水の中のコイルによって探知され、デバイスに伝達される。液体のレベルが、これらのデータによって推定される。ＮＭＲ法には深度の問題がある。デバイスは特定の深度の後に感度が悪くなる。土地に磁性鉱物がある場合、それらはデバイスの判断を誤らせる。
【００３６】
本発明の方法は、これらと完全に異なる。本発明は自然の信号、水から到達する電流および波を探知し、これらの自然のデータの量に依存した結果を与える。ケーブルも本発明で使用されるが、その使用においての機能は異なる。比抵抗探査法では、電流が様々な点からケーブルによって大地に供給される。ケーブルは、この目的で使用される。本発明の方法では、ケーブルは、ネイルが打ち込まれた点での大地の垂直方向の成分における自然の信号、波、電流を探知し、異なる点に対する各深度の特性を正確にそれ自体に反映する。このプロセスでは、ケーブルに電流を供給する必要はまったくない。ケーブルは、大地および空気から受ける電流によって自動的にこの機能を満たす。実際に、この方法では、露出されるケーブルの端部が絶縁される。そうではなく、もう一方の端部も大地に接触する場合に、電流が回路に流れ、信頼性の高い値を得ることが困難になる。このシステムでは、ネイルが大地に打ち込まれなくても、ネイルの鋭端が大地に面し、その頂点が電流を受けないように絶縁されるように垂直に保持されると、その場合にも、大地の深度におけるすべてのデータを捕捉し、それらをケーブルに伝える。同様の発明は、どこにもまったく存在しない。このシステムには深度の問題がまったくない。それは、何千メートルもの深さであってもよい。この方法では、すべての種類の金属および合金から作製されたケーブルが使用できるので、光ファイバケーブルも使用することができる。ワイヤおよび濡れたロープも使用できるが、この場合には土のその他の部分からも電気を受けるので、誤差を生じる可能性がある。あるいは、水を薄いホースに満たすことができる。このホースの一方の端部から、導電性のワイヤが水中に浸され、それはストッパによって閉鎖されて、水が流れ去るのを防止し、ワイヤのもう一方の端部がネイルと接続される。次いで、ホースのもう一方の端部が同様に閉鎖され、同じ目的で使用される。この方法によって、液体のレベルが直接的に判定される。この方法によって、何メートルでそれが水中に入れられるか、どのメートルまで水があるか、掘削される井戸から得られる水の流量が判定される。それだけでなく、互いの最上部にいくつかの帯水層がある場合、これらの層の始点および終点、ならびに各帯水層が保持する水の流量が判定できる。この方法は容易に使用でき、非常に経済的であり、かつ信頼性が高い。
【００３７】
知られているように、断層は地下水に対して自然のチャネルを提供する。断層の探知で行われるように、使用者は水が探索される土地の裂け目を探知するために、ロッドを持ち歩く。表面の走査が実施される場合、デバイスのすべての重量を運搬する必要はまったくない。ロッドおよびロッドにエネルギーを提供する小型のバッテリとともに接続ケーブルのみを運搬すれば十分である。バッテリも必要でない場合もある。他の装置が、エネルギー（電流）の測定中に作動される。ロッドは、交差する点に対応するように、指定された点の上で大地に対して水平に空中で保持される。次いで、ロッドの周囲に巻かれたコイルに電流が供給され、ロッドが互いに反発し合うことが可能になり（１６）、それらが平行であることが確実になり、裂け目のエネルギーを安定させる電流密度が測定される。ここでは、ロッド間の距離は、固定して保持される必要がある。ロッド間の距離は、表面で走査する場合に重要でないが、電流の測定において重要である。当然ではあるが、とりわけ、ロッドの長さも標準化する必要があるが、異なる長さのロッドで同じ値を得ることができる。ロッド間の距離が１０ｃｍとして設定されたと仮定すると、すべての測定はこの距離内で行われる必要があり、またはこの距離の値を計算すべきである。どちらの距離をベースとしても、ロッド間の距離により、測定が実施される場所の電流密度が与えられるので、すべての評価が選択された距離内で行われる必要がある。測定された裂け目の電流は、含む水の流量に関する情報を提供する。表面で読みとられた値は、水のレベルの最高点における流量についての情報を提供する。土地で探知された裂け目が少ない場合、最大電流を与える裂け目がほとんどの水量を保持する裂け目である。その後、測定ケーブルが接続されたネイル（３６）が、判定された点に打ち込まれ、ケーブル（３７）が地面の上に適切に、同じ高さ（図２１）で配置される。次いで、使用者は、測定ロッドを互いに平行に、大地に水平に空中で保持し、ケーブルの上を歩く。使用者が水のある深度（４６）に接近すると、ロッドが交差し、この点が記録される。この点で、ロッドがケーブルの上で空中に保持され、電流がそのコイルに、互いに反発するように供給される。電流が多すぎる場合、ロッドが開放し、電流が少なすぎる場合、ロッドが閉鎖し、ロッドが平行である場合、それは大地から測定ケーブルに到達する電流の電場および磁場の力がそれを安定させたことを意味する。この値は、前記深度において水が含むエネルギーに依存し、この点における水の流量についての情報を提供する。ここで測定される値は、表面において測定される値と同じである。この点からネイルに５０〜６０ｃｍ進められ、そこで電流がケーブルの上で測定された場合、概してより低い値が得られる。この値は、水を含まない断層の部分の値であり、またはここにある土または岩の値である。ネイルと、ロッドが交差する点との間の距離によって、開始の深度（４６）が与えられる。次いで、使用者は、ケーブルの上を歩き続け、ロッドが交差するすべての点が記録される（４６、４７、４８、および４９）。次いで、ロッドを空中に保持することによって、これらの点の電流値、およびデバイスとロッドを平行に保持する（１６）、これらの点の間のいくつかの区域が測定される。この電流値は、測定された深度における水の流量に関連する情報を提供する。いくつかの場所では、最上点の流量値は、底点の流量値と同じであり、いくつかの場所では、流量が最上部から底部に増加し、いくつかの他の場所では、流量が特定の深度まで増加し、次いで再び低下する。水の層が終端する点の後に、電流値が土および岩の通常の値に低下する。電流が低下する点の後に、電流が不透水性であり、かつ水の少ない層（５４）に入ることが理解される。特定の深度まで不透水層が連続し、それは再び水を含む透水層に入る場合もある。したがって、井戸を何メートル掘削すべきかが前もって計画される。例を用いてこれをさらに説明する。ネイルが打ち込まれる点に接続されたケーブルが２００メートル設置されると仮定すると、使用者は自身の手にロッドを保持し、ネイルから開始するケーブルの上を歩き、ロッドは第１０メートルで交差し、その点が記録され、次いで第２５メートルで交差し、その点が記録され、次いで第６０メートルで交差し、記録され、次いで第９０メートルで交差し、記録され、その後に使用者は、第２００メートルまで歩き、交差がまったく起こらない。この点で、使用者は、元に戻り、ロッドをケーブルの上に保持しながら第８メートルまたは第９メートルでの電流を測定する。ロッド間の距離が１０ｃｍに調整される場合を仮定すると、１Ａ／ｄｍの電流密度が測定される。これは電流を含まない層の密度である。次いで第１０メートルで、電流は３Ａ／ｄｍとして測定され、この電流はこの点で水に入り、水の流量を判定することを示す。その後に、第１５メートルでの電流が３Ａ／ｄｍと測定され、第２５メートルでの電流が４Ａ／ｄｍと測定される。この状態は、水の流量が第２５メートルで増加することを示す。第１０メートルと第２５メートルの間の距離により、例えば（５１）第１の水の層（帯水層）の厚さを得る。第２５メートルでのロッドの交差により、ここに水平断層があり、または、この深度で別の方向からの断層がここで交差し、もしくは別の水の層に入り、言い換えれば層の変化があることが示される。層の間に異なる接触電位があるので、これらの場所の電場および磁場は異なる。この差はケーブルに正確に反映され、ロッドが直ちにこの差を捕捉する。このようにして、すべての層の電流値が測定される。第８９メートルで、電流が６Ａ／ｄｍと測定され、第９１メートルで、電流が１Ａ／ｄｍと測定されると仮定する。以下のことが、これらのデータから理解される。第９０メートルにおいて、水を豊富に含む層が見つかる。この点において、ベースを形成するように９２〜９３メートルの井戸を掘削すれば十分である。次いで、探索される領域に掘削される井戸がある場合、それらは同じ様式で測定され、測定された電流値が記録され、これらの井戸の水の流量が探索される。掘削される井戸の電流値および水の流量が、探索される点の電流値と比較され、掘削される井戸からどれほど多くの水の流量が得られるかが、９０％の正確さによって判定される。通常、領域に掘削された井戸がない場合、何リッター／秒の流量が１Ａ／ｄｍ電流に相当するかが判定される。これらのデータに従って予測がなされる。これらのプロセス中に注意を払う必要のある点は、可能な限りケーブルが適切に、同じ高さで地面に配置されることを確実にすることである。例えば、ケーブルの上の第１００メートルが測定されるが、測定が実施される点が、ネイルが打ち込まれる点よりも５メートル高い。この場合には、ネイルが打ち込まれる点の第９５メートルの深度が測定される。ここでも同様に、何かの理由でケーブルがもつれた場合、例えば測定がケーブルの第１２０メートルにおいて実施されるが、ネイルが打ち込まれる場所と、測定がなされる点との間の実際の水平距離が１００メートルである場合、実際には第１００メートルの深度が測定される。
【００３８】
土地の表面走査において鉱脈または断層がまったく見つからない場合、ネイルが土地のいくつかの場所に打ち込まれ、測定ケーブルがこれらのネイルに接続され、使用者がロッドと同じ様式でケーブルの上を歩き、交差が起こる場合、それは交差がある深度において水の水平層があることが理解される。ケーブルの上を歩き続けると、存在する水の層の厚さ、深度、および電流値が記録される。同じ手順がいくつかの点で繰り返され、土地に水があるか否かが判定される。水がある場合、電流値が最大である点において井戸を掘削することが判定される。
【００３９】
ある位置に、可動または水脈の形ではないが、池の形の水域がある場合（図２２でのように）、ロッドがこの水域の境界（５６）、および様々な方向にあるこれらの境界の中間において交差する。次いで、ネイルがこれらの境界の間のいくつかの点に打ち込まれ、測定ケーブルが接続され、水の深度（５７）、層の厚さ（５８、５９）、および電流値が測定され、それによって得られる水の流量が判定される。
【００４０】
本発明の方法によって、真水および鉱水、ならびにそれらの間の違いも判定される。同じ土地に真水と鉱水の両方がある場合、その断層および深度を追跡することによって、どの水脈から真水が流れ、どの水脈から鉱水が流れるかが容易に判定できる。例えば、その領域の真水の水脈および層が測定される。これらの測定で最大で１５０ｍの深度が測定されると仮定する。一方で、１５０メートルより多い深度に達する水脈がある場合、この水脈が鉱水を含む可能性は５０％より多い。この水脈に関する深度は、わずかに深く監視され、それが３００〜４００メートルの深度に達した場合、完全に鉱水であると理解される。場合によっては、互いに平行ないくつかの断層から鉱水が流れ、その他からは真水が流れることが判明している。これらの水は、間が１０〜１５メートルの距離で互いに接近して流れ、それらは、これらの断層と直交して交差する他の断層と連結されるが、これらの水は混合しないことが判断される。場合によっては、真水を含む断層は鉱水を含む断層の上を通過し、それらの水は混合しない。真水を含む断層の深度、電流値、および流量が、交差点の前に測定される。深度が測定される交差点にネイルが打ち込まれ、ケーブルが配置される。この方法によって、どのメートルまで真水があり、どのメートルで鉱水が始まるか、ならびに、これらの２つの水の層の接触領域が容易に判定される。この点において、各断層が、他の断層と混合せずに、それ自体の水を含むことが判断される。しかし、ここでは、電流値は、両方の断層の電流値の合計である。真水および鉱水を含む断層だけでなく、あるタイプの水を含む断層においても、接触の深度および電流値が容易に判断される。例えば、異なる方向からの３つの真水の断層が交差するように探知されると仮定する。断層に含まれる水が３Ａ／ｄｍ、２Ａ／ｄｍ、５Ａ／ｄｍの電流密度を有すると仮定する。これらの３つが交差する点で、電流密度が約１０Ａ／ｄｍと測定される。ネイルがこの点に打ち込まれ、ケーブルが配置される場合、水を含むそれぞれの裂け目の上限点および下限点、ならびにこれらの点の総電流密度が、非常に容易に判定され、かつ測定される。すなわち、Ｃａｐｔａｉｎ  Ｃｏｕｓｔｅａｕによって発見されたように海の水が海洋で混合しないことは、同じく陸地でも真水および鉱水、さらには２つの真水の水脈に関して観測される。
【００４１】
この方法によって、地下の断裂も非常に容易に探知できる。図２３に示されるように、ロッドは地下河川の右境界（６０）および左境界（６０）において交差する。さらに、河川の中央部分において、ロッドは各方向に交差する。ネイルを打ち込み、ケーブルを配置し、ケーブルの上を歩き、ロッドを交差させることによって、何メートルの深さで河川が流れている（６３）か、および河川の深度（６４）が測定される。ロッドは、河川の深度を測定するために配置されたケーブルの上に保持され、河川の流量がおおよそ測定される（１６）。河川の流れ方向も判定される。この目的で、河川の方向に、測定ケーブルに接続されたネイル（６１）が、非電導性トレイ（６２）の上で、河川の方向に向かって大地に対して水平に配置され、その電流値がケーブルの上で測定され（１６）、次いでそれは反対方向に向けられ、その電流値が測定される（１６）。電流値が高く測定される方向は、水の到来する方向を示す。第２の方法では、使用者はロッドを保持し、河川の中央で、河川が流れる両方向に向かって歩く。ロッドは、河川の到来する方向（６６）により激しく右／左に押される。水の流れの抵抗が、ほぼ感じられる。
【００４２】
いくつかの事象が、測定において読みとられる電流値に影響を与え、主な事象は地震である。地震活動が開始した場合、地下水の電流値が増加し、しばらくした後に主断層、副断層、少量の水を含む断層、大量の水を含む断層、および鉱物を含み、または含まないすべての水の電流値が互いに等しくなる。実際に、それ自体が現れない伏在断層さえも現れ、高いエネルギー値に達する。この場合に、信頼性の高い水の予測を行うことができない。そのような場合には、この活動が終了するのを待つ必要があり、または地震予知の章で説明するように、地震波が失われる必要がある。地震が付近で起こる場合、地震波は長い間失われない可能性がある。そのような場合に、電流は同じ点でいくつかの値に固定されたままになる（ロッドは互いに平行のままになる）。これらの値を分析すると同時に予測が行われるが、これはあまり信頼性が高くはない。さらに、地球上のあらゆる場所で起こる非常に大きな地震（例えばマグニチュード９での）に続いて、地球上のあらゆる場所の断層、大地、および水のエネルギーに全体的な上昇が起こる。いくつかの場合には、土の中で非常に微細に分散されたいくつかの鉱物が水と同様の値を示し、この状態は土地の地理学的および地質学的な構造を調査することによって解消することができる。または、これらの点では値が高く、最大の点で開始し、水に入ると値は低下する。水の流量は、より低くなる。上方の点で水がないので、値の高さが鉱物から生じると理解される。判断を誤らせる別の点は、粘土と泥灰土を有する土地では、粘土および泥灰土の水の貯蔵容量が非常に高いが、水の流速が非常に低いので、非常に大きな水の流量が測定されても、水が適切な流速を得ることができず、井戸に時間通りに流入できないので、掘削する井戸から十分な量の水が得られない可能性があることである。水の深度があまり大きくない場合、ドリリングではなく、掘り下げ器具により掘られる潜函が選好される。これは、こうしたタイプの土地では、１０ｃｍ離れた水脈の水が井戸に流れ込まないことがあるからである。広い井戸が掘削された場合、より多くの水脈を切断する可能性が増加し、井戸の表面が拡張すると、より多くの水が井戸に漏出することが可能になる。
【００４３】
判断を誤らせる別の点としては、土地に別のトランスプレッション帯がある場合、およびトランスプレッションがここに連続する場合、トランスプレッションの影響によるこの帯の中間での粉砕が続くと、得られるエネルギーが高い流量と同様の電流を与える可能性があることである。さらに、泥灰土を有する土地にある泥灰土は、それ自体の中に、弾力性により前の地震の波を保持する。これらの波も、水のように誤った結果を生じる可能性がある。これらのすべての欠点は、土地の地質学的な構造を調査することによって解消できる。または、放出されたレイの、周波数、波長、振幅などの特徴を測定することによって、結果を得ることができる。これらの種類の問題は、デバイスによって測定された特徴と名付けられた章で説明するように、波の形状および特徴を判定する際に解決される。判定された点に接続されたケーブルの上で、その点の垂直および水平の関連での波の形が描かれる。どの波が水の波であるかが判定される。その線の上の水の波の電流を測定することによって、水についてのより精密な予測がなされる。
【００４４】
以下の実験がなされる。洗濯桶が水で満たされ、水の上でデバイスのロッドを保持することによって電流が測定される。２３℃の温度を有する水がほぼ１Ａ／ｄｍの電流によって安定化される。この水が排出され、洗濯桶が５６℃を有する温水で満たされた場合、それは約４Ａ／ｄｍの電流によって安定化される。これらのデータは、物質のエネルギー量が増加すると、それが放出する波の量が増加し、従って、磁場の均衡をとる電流量も増加することを示す。この実験を利用することによって、地下の温水源も探知される。特定の場所にある知られた水源において測定を行うことによって、要求されるデータが得られる。温水を含むと推定される土地に関するデータが得られ、比較が行われる。温水予測が、この比較の結果によりなされる。
【００４５】
この方法によって、パイプおよびチャネルを流れる水の流量が判定される。この目的で、最初に、測定ロッドがその流量が知られた水の流れの上に保持され、その電流値がＡ／ｄｍで測定される。次いで、流量が未知のパイプおよび導管の電流値が測定され、未知のラインの流量が比較を行うことによって判明する。
【００４６】
３．地震探知方法
断層探知方法によって断層が探知された後に、連続的な測定のために、それらの中からパイロット断層（ｐｉｌｏｔ  ｆａｕｌｔ）が選択される。主断層の付近の副断層をパイロット断層として選択することが適切である。それは、地震の前に１０Ａ／ｄｍの電流を含む主断層があり、その付近に１Ａ／ｄｍの電流を含む副断層がある場合、地震活動が開始すると、主断層の変化は、副断層のエネルギー（磁場の力または電流密度）が１０Ａ／ｄｍに上昇するまで認識され得ないからである。さらに、地震活動が開始すると、その領域のすべての断層のエネルギーが等しくなる。伏在断層も現れる。この場合、上昇率が副断層でより多くなるので、その監視がより容易になる。可能であれば、鉱水を含む深い断層に接続された副断層が選択される。これは、エネルギーの上昇が鉱水を含む深い断層で最初に開始し、次いでそこから副断層および他の断層に拡散するからである。この方法では、地震の監視は、単一の地震と、連続した地震の２つの方向に分かれる。
【００４７】
単一の地震の監視：連続した測定が、断層の探知および水の探知の方法において行われるのとまったく同じように、選択された断層に周期的に行われる。地震活動がどこかで開始した場合、断層のエネルギー（電流密度）が上昇し始め、上昇の値および周期が記録される。用語「エネルギー」は、測定される電流値における変化が、断層におけるエネルギーの変化の結果であるので、説明において使用される。単位長さの断層において集積される電荷密度と同じだけ、またはそこから通過する電流と同じだけ、電流が、ロッドの中間に反対方向に測定中に供給され、それが電荷密度または通過する電流を安定させる。そうした理由で、これらの概念の代わりに、用語、エネルギーおよびときには電流が使用される場合がある。さらに、この状態をより理解可能にするために、以下の実験が行われる。測定ロッドが火炎の上に保持される場合、ロッドが交差するのが観測される。電流をロッドのコイルに供給することによって、火炎の電流値が測定され（図１７でのように）、例えば、小さな木の火炎での１９０Ａ／ｄｍの電流が測定される。すなわち、火炎から到達するエネルギーのため、電流が火炎の周囲に形成される。形成される電流および測定されるシステムのエネルギーが、関連付けられる。そうした理由で、それらは互いに関連付けられるので、いくつかの概念が交換可能に使用される。実際に、デバイスで測定される値は、電流強度である。エネルギーは、特定の値に達した後に、前記の値の付近に一定期間、固定されたままになるが、ある程度の変動がある。エネルギーが上昇し始めるときと、エネルギーが固定したままになり始める最初のときとの間の期間によって、測定が行われている点への地震の距離についての予想が与えられる。この期間がより少ないほど、測定が行われる場所のより近くで地震が起こる。エネルギーは、一定の期間、ほぼ固定されたままになった後に再び上昇し、次いで再び一定期間、ほぼ固定されたままになるが、ある程度の変動が生じる。断裂がこの位置で起こり、そこでのエネルギーは高い。断裂した後に、エネルギーは、一定期間、どこかの位置にほぼ固定したままになり、または地震によっては、地震によって放出されたエネルギーによりある程度多く上昇し、より多く、またはより少なく固定されたままになる。次いで、エネルギーは低下し始め、その通常の値に達する。このように、地震活動が完了する。同じ種類の変化が、地震においてだけでなく、火山活動においても認識される。同じ方法によって、火山活動も、前もって判定される。
【００４８】
地震が起こる方向が、以下のように判定される。地震活動が始まると、測定ケーブルまたは金属のロッド（６１）の端部に接続されたネイルが、測定が行われる場所において、非電導性トレイ（６２）の上で大地に対して水平に、様々な方向に保持される。前記ネイルは、アンテナのように、その方向に空中に放出された地震波を捕捉し、それらをケーブルに伝達する。これらの波は、電気および磁気の放射、ならびに関連する電場および磁場をケーブルおよびその周囲に生成する。ロッドをケーブルの上に保持することによって、この場の力の均衡をとる電流値が測定される（１６）。測定の間、ロッドを同じ電荷によって帯電させるようにロッドのコイルに電流を再び供給することによって、ロッドは互いに反発し合うことが可能になる。ロッドが平行である位置で、ケーブルの上の場によって生成される力の値が、ロッドを反発させる電流値によって安定化される。このようにして、異なる方向における電流値が測定される。電流がどの方向から最大になっても、地震がその方向、またはその方向の近くの副方向において起こる。測定において高い値が与えられる方向での電流が、一定期間の後に、測定が実施される点に達する。この期間は、地震の距離についての情報も提供する。電流は、ここから他の方向に分散する。しばらくした後に、それはすべての方向に均等化される。そうした理由で、活動が始まる瞬間に、方向探知が信頼性の高い様式で行われる。最大の電流が流れる方向とは反対に、地震が異なる方向で起こる場合がある。その理由は、以下のように説明できる。北東―南西方向に延びる断層の地震が起こると仮定する。この断層が、測定が行われる点の南に通ると、活動が始まるときに制御が行われる。波が圧倒的に南および東から到達し、南から到達する波がより強いが、地震が北東で起こると仮定する。この状態は、地震が起こる断層の延出が、測定が行われる点の南により近いので、デバイスがそこでの波を早期に探知することによって生じる。これらの事例をよりよく理解するために、以下の表が調査される。
【００４９】
これらの表のデータは、トルコ共和国、Ｅｌａｚｉｇ地方の都心部、および都心部に対して１０〜２５ｋｍでの特定の断層に関して測定デバイスを介して得られる。実験では、ロッドの長さは、９０ｃｍに調整され、ロッド間の距離は１０ｃｍ（１ｄｍ）として設定される。
【００５０】
表１
日付、時間、測定された電流、方向において測定された電流（Ａ／ｄｍ）
（時間および分）（アンペア／ｄｍ）東、西、北、南
------------------------------------------------------------------------------
18.10.2006 06:45 1
29.10.2006 08:00 1.14
29.10.2006 22:00 1
29.10.2006 22:01 4
29.10.2006 22:02 4.6
29.10.2006 22:08 4.7
29.10.2006 22:10 - 4.8 7.5
29.10.2006 22:16 - 8 12.5
29.10.2006 22:20 8 - -
29.10.2006 22:22 8 8 12.5
29.10.2006 22:42 12.5
29.10.2006 22:45 12.5 12.5
29.10.2006 22:48 12.5 - -
30.10.2006 05:30 16 - 16
30.10.2006 06:35 16
30.10.2006 08:30 15
30.10.2006 12:35 12
30.10.2006 11:27 *トルコ共和国Ｅｒｚｉｎｃａｎ市のＣａｇｌａｙａｎカウンティでマグニチュード３．９の地震が起こった。
30.10.2006 13:40 12
30.10.2006 18:05 4.5
30.10.2006 18:54 3
30.10.2006 19:47 3
30.10.2006 19:34 *Ｄｏｄｅｃａｎｅｓｅ島でマグニチュード３．８の地震が起こった。
30.10.2006 20:15 3
30.12.2006 23:05 1
------------------------------------------------------------------------------
【００５１】
表２
日付、時間、測定された電流、方向において測定された電流（Ａ／ｄｍ）
（時間および分）（アンペア／ｄｍ）東、西、北、南
------------------------------------------------------------------------------
31.10.2006 13:25 1
31.10.2006 15:02 1.46 4.75
31.10.2006 15:08 5.5 11 5.5
31.10.2006 15:12 - - - 6.5 13
31.10.200 6 15:15 12 12 6.5 13.5
31.10.2006 15:41 15 19
31.10.2006 15:45 19
31.10.2006 16:08 25 25
31.10.2006 17:35 25 25
31.10.2006 18:16 31 31
31.10.2006 20:26 15
01.11.2006 10:06 16.5 25
01.11.2006 12:02 25 25
01.11.2006 18:00 30 - 16 16 30
01.11.2006 21:43 30 30 16 30 30
01.11.2006 23:11 30 30 30 30 30
01.11.2006 00:00 32 32
01.11.2006 23:19 トルコ共和国Ｂｉｎｇｏｌ県のＹｅｄｉｓｕカウンティでマグニチュード４．８の地震が起こった。
02.11.2006 08:43 30 30
02.11.2006 10:40 50 50
02.11.2006 17:23 50 50
02.11.2006 23:29 64 64
03.11.2006 01:50 40 40
03.11.2006 03:10 22
03.11.2006 09:45 2.36 2.36
03.11.2006 03:15 7 22 22 7
03.11.2006 20:45 1 1 1 1 1
------------------------------------------------------------------------------
【００５２】
表３
日付、時間、測定された電流、方向において測定された電流（Ａ／ｄｍ）
（時間および分）（アンペア／ｄｍ）東、西、北、南
------------------------------------------------------------------------------
05.11.2006 10:20 1
05.11.2006 10:22 3.74
05.11.2006 10:31 4 7.7 3.74 7 3
05.11.2006 11:04 7.5 8.7 8.7
05.11.2006 12:26 12 17 17
05.11.2006 16:33 18 40 40
05.11.2006 17:25 35 40
05.11.2006 22:48 60 60 60
05.11.2006 23:41 66 66
06.11.2006 06:17 66 66
06.11.2006 09:01 60 6006.11.2006 12:03 80 80
06.11.2006 12:12 100 100
06.11.2006 18:44 100 100
06.11.2006 21:54 150 150
06.11.2006 23:58 150 150
07.11.2006 00:15 *カウンタ波（ｃｏｕｎｔｅｒ  ｗａｖｅ）を送ることによって電流値が１Ａに低下する。
07.11.2006 00:21 150 150
07.11.2006 00:58 *カウンタ波を送ることによって電流値が１Ａに低下する。
07.11.2006 17:30 50 50
07.11.2006 17:36 *カウンタ波を送ることによって電流値が１Ａに低下する。
07.11.2006 21:43 150
07.11.2006 21:50 *カウンタ波を送ることによって電流値が０．７２Ａに低下する。
08.11.2006 21:10 0.58 - 0.58 0.58 0.58
09.11.2006 19:00 0.8
10.11.2006 10:05 0.8
11.11.2006 23:00 0.78
12.11.2006 12:20 5
12.11.2006 20:05 50
12.11.2006 20:20 *カウンタ波を送ることによって電流値が１Ａに低下する。
14.11.2006 13:30 3 *カウンタ波を送ることによって電流値が１Ａに低下する。
15.11.2006 16:20 68
15.11.2006 *日本の北にある千島列島でマグニチュード８．１の地震が起こった。
16.11.2006 07:52 110
16.11.2006 12:00 145
17.11.2006 08:13 100
18.11.2006 07:00 67
19.11.2006 09:30 0.5
------------------------------------------------------------------------------
【００５３】
表を検討すると、表１で、活動が始まった瞬間から、それが最初に固定されたままの値（１２．５Ａ）になるまで、４８分の期間が経過し、地震がトルコ共和国のＥｒｚｉｎｃａｎ市で起こったことが観測される。測定が実施された場所まで、約１００ｋｍの水平距離がある。表２では、活動が始まった瞬間から、それが最初に固定されたままの値の２５Ａまで、６６分の期間が経過し、地震がトルコ共和国のＢｉｎｇｏｌ県Ｙｅｄｉｓｕカウンティで起こったことが観測される。測定が実施された場所まで、約１５０ｋｍの水平距離がある。表３では、エネルギーが最初に固定されたままになった、６６Ａまで約１３時間の期間が経過し、日本において地震が起こった。その間には、約６〜７千キロメートルの距離がある。したがって、エネルギーの第１の上昇期間（６７）によって、地震が始まる場所の距離、および測定が実施される点に関する情報が与えられる。地震前のエネルギーにおける上昇率（Ａ１）により、地震のマグニチュードについての情報も与えられる。ここでは、上昇率は電流値ではなくアンペアと考える必要がある。世界的に断層の全体のエネルギーにおける低下が生じることがあるので、上昇が起こることもある（特に非常に大きな地震の後に）。例えば、通常の条件下で１Ａ／ｄｍとして断層において測定される電流値は、エネルギーが世界的に低下する状態で１５〜２０ミリアンペア／ｄｍとして測定できる。次いで、これらの値に対する上昇率が考慮される。さらに、地震のマグニチュードが上昇すると、前もって始まった活動期間（６８）も増加する。地震の場所を正確に特定できるようにするために、異なる位置にステーションが構築される。ステーションに対して第１の活動がどの方向から到達するかが判定される。どのステーションの間で地震が始まったかが、探知される。次いで、領域を絞ることで地震の場所が判定される。
【００５４】
連続した地震：最初は、地震の活動コースが、単一の地震と同様に連続する。しかし、第１の地震が起こった後にある程度の変動は生じるが、エネルギーは低下せず、この地震は、それに続く地震を誘発する。この状態は、第２の地震が第３の地震を誘発し、第３の地震が第４の地震を誘発することによって連続する。エネルギーは、それぞれの地震の前後に上昇する。地震の１日後に、それはわずかに低下し、次いで再び上昇することもある。通常は、それは小さな地震とともに開始し、次いで地震のマグニチュードが上昇する。大きな断裂の後に、マグニチュードが低下する。一定期間、最大値のままになった後に、エネルギーは低下する。連続的な地震は、必ずしも互いに接近して起こるわけではない。それらは、どこかの地理学的な領域に起こることがあり、それらは何百キロメートルもの距離で、また何千キロメートルもの距離でさえも起こることがある。この状態は、以下の表を検討する際により明確になる。
【００５５】
表４
この表におけるデータは、トルコ共和国Ｅｌａｚｉｇ市の中心部、および市の中心部から１５ｋｍにおける特定の断層に関する本発明のシステムによって得られた。
【００５６】
表における方向は、示された時間および方向におけるエネルギー値を示す。この期間内に起こった地震および重要な事象は、日付、および可能であれば時間とともにアステリスク＊マークとともに与えられる。
【００５７】
日付、時間、および電流  時間、および電流  時間、および電流  時間、および電流  時間、および電流
分(A/dm)  分(A/dm)  分(A/dm)  分(A/dm)  分(A/dm)
------------------------------------------------------------------------------
19.01.2007 1
20.01.2007 15:28 2.5 15:29 3.25 15:35 3.5 15:36東:5.52 15:36西:2.6
20.01.2007 15:36北:5.52 15:36南:2.40 15:44 4.40
20.01.2007 15:44東:18 15:44北:17.52 16:19 19 16:23東:71
20.01.2007 16:30 27 16:53 62 16:53:東:76 16:59 78 17:54 75
20.01.2007 18:42 78 20:05 78 20:09 90 22:18 90 22:28 110
21.01.2007 09:25 110 13:08 120 14:28 130 16:13 130 20:38 130
*Ａｇｒｉ市Ｔｕｔａｋにおいてマグニチュード５．０の地震が起こった。
*マグニチュード７．２の地震がインドネシア共和国のＳｕｌａｖｉ島付近で起こった。
21.01.2007 20:43 125 22:18 130
22.01.2007 09:10 150 18:30 150 20:10 150
23.01.2007 00:09 150 08:38 150 13:14 150 23:25 150
24.01.2007 08:10 160 19:05 160
25.01.2007 09:30 160 10:00 *カウンタ波を送ることによって２．５Ａに低下する。
25.01.2007 14:17 160 23:45 162.5
26.01.2007 07:48 175
26.01.2007 10:20 *マグニチュード４．７の地震がトルコ共和国Ｅｌａｚｉｇ市のＫａｒａｋｏｃａｎのＢａｓｙｕｒｔカウンティにおいて起こった。
26.01.2007 11:20 200 12:54 200
27.01.2007 07:47 133 10:01 130 10:07 160 12:57 170 14:30 190
28.01.2007 07:55 180 09:31 180 13:26 180 15:27 187 16:35 187
30.01.2007 15:46 187 18:55 187
31.01.2007 14:33 187 14:55 190
01.02.2007 09:20 175 10:50 177 13:00 170 15:00 190 16:40 212
01.02.2007*マグニチュード５．９の地震がインドネシア共和国のＪａｖａ島付近で起こった。
02.02.2007 08:13 187
04.02.2007 15:10 202 15:50 200 16:46 220 17:16 220
05.02.2007 *マグニチュード６．５の地震がＣａｒｉｂｂｅａｎ島で起こった。
05.02.2007 09:40 187 10:46 187 12:21 198 15:01 190 16:30 210
06.02.2007 09:40 206 13:33 187 13:48 210
09.02.2007 04:22 *マグニチュード５．３の地震がトルコ共和国Ｅｌａｚｉｇ市のＳｉｖｒｉｃｅのＧｏｚｅｌｉカウンティにおいて起こった。
09.02.2007 08:00 266 08:40 248 09:21 218 09:34 228 10:04 228
09.02.2007 13:00 220 13:30 228 14:16 222 16:09 237 16:32 257
09.02.2007 17:00 270 18:07 280 18:15 280 20:21 280
10.02.2007 11:0 246 12:42 227 13:37 200 14:07 200
11.02.2007 16:00 203 16:22 237 17:07 242 18:05 245
12.02.2007 08:34 242 08:41 250 09:20 250
14.02.2007 07:53 247 08:57 247 09:59 250 12:59 240
17.02.2007 07:56 228 09:14 243 14:40 228 17:50 218
18.02.2007 09:15 232 11:24 228
19.02.2007 22:15 233 23:20 252 23:33 262
20.02.2007 04:48 274 06:18 330 06:23 316 07:05 311 09:46 300
20.02.2007 10:59 316 13:06 316 16:50 285 16:56 316
20.02.2007 *マグニチュード６．６の地震がインドネシア共和国において起こった。
21.02.2007 12:12 333
21.02.2007 13:05 *マグニチュード５．９の地震がトルコ共和国Ｅｌａｚｉｇ市のＳｉｖｒｉｃｅにおいて起こった。
21.02.2007 13:08 320 14:14 325 15:23 316 17:16 333 19:43 333
21.02.2007 20:29 366 21:05 380
22.02.2007 01:43 400 01:55 430 10:10 400 10:31 450 10:43 458
22.02.2007 11:35 480 12:38 480 15:39 483 17:12 491 19:22 496
22.02.2007 20:10 496 20:11 *カウンタ電流を送ることによってエネルギーが低下する。
22.02.2007 20:25 486 *低下したエネルギーは、５分後に上昇した。これは、地震が近い場所におけるものであることを示す。
23.02.2007 08:10 483 08:15 443 08:55 480 17:20 480 20:29 527
23.02.2007 20:58 528 22:23 796 22:37 773 22:56 763
24.02.2007 07:20 760 09:20 738 16:35 763 16:54南:720A
25.02.2007 06:35 817 09:10 785 10:44南:740,東:745.西:714
25.02.2007 16:42 812
26.02.2007 06:35 815 22:05 782
27.02.2007 07:45 857 08:10 857
28.02.2007 *マグニチュード４．８の地震がトルコ共和国Ｅｌａｚｉｇ市のＳｉｖｒｉｃｅにおいて起こった。
01.03.2007 01:05 *マグニチュード４．７の地震がトルコ共和国Ｅｌａｚｉｇ市のＳｉｖｒｉｃｅにおいて起こった。
01.03.2007 13:30 857 15: 13東:857,西:857,南:857 15:40 857
02.03.2007 08:10 857 19:20 857
03.03.2007 19:53 925 21:00 925 21:03 887 21:34 900
04.03.2007 { 01:00 891 01:45 891 02:00 900 02:10 891 02:28 885}
*括弧内に与えられたデータが、月食中に得られる。
04.03.2007 09:26 935 11:30 925 18:46 928
05.03.2007 11:32 914 19:29 928
06.03.2007 07:01 934
06.03.2007 *マグニチュード６．３の地震および１時間後にマグニチュード６．０の地震が、インドネシア共和国のＳｕｍａｔｒａ島付近で起こった。
06.03.2007 20:17 910 20:46 971 21:13 905 21:25 910 21:32 928
07.03.2007 05:56 971 07:01 971 16:10 971
07.03.2007 *マグニチュード４．８の地震が、イラン・イスラム共和国のＬｕｒｉｓｔａｎ州において起こった。
08.03.2007 11:00 962 22:00 989
08.03.2007 *マグニチュード４．８の地震がトルコ共和国Ｂｉｎｇｏｌ県のＳａｎｃａｋにおいて起こった。
09.03.2007 06:52 1018 17:15 1058
10.03.2007 09:12 1004 17:22 1030
10.03.2007 *マグニチュード４．７の地震がトルコ共和国Ｂｉｎｇｏｌ県のＳａｎｃａｋにおいて起こった。
11.03.2007 06:45 1039 20:20 958 20:52 984
12.03.2007 06:42 1000 19:15 984
13.03.2007 06:20 1040 16:50 1068
14.03.2007 09:23 1048 09:30南:1400 17:14 1053
14.03.2007 17:45南:1428,18:50東:1342 18:50 1414
15.03.2007 09:34 1395
16.03.2007 10:00 1428
17.03.2007 11:45 1457 18:11 1541
18.03.2007 10:30 1571 22:15 1571
19.03.2007 09:19 *カウンタ波を送ることによって電流が低下した。09:21波が戻った。
19.03.2007 09:29 1571
20.03.2007 09:29 1600
21.03.2007 09:20 1600
22.03.2007 14:15 1428 23:25 *カウンタ電流を送ることによって４Ａに低下した。
23.03.2007 12:45 2.40
24.03.2007 10:20 1 23:00 1 *電流を低下させる試験が日中に実施される。
25.03.2007 02:30 1
25.03.2007 *マグニチュード６．９の地震が日本において起こった。
25.03.2007 11:36 130 11:53 130
26.03.2007 20:45 115
27.03.2007 12:29 130
------------------------------------------------------------------------------
２００７年３月１４日に、ネイルが鉱水を含む断層に打ち込まれ、測定ケーブルがネイルに接続され、測定が行われた。断層は第６メートルから始まり、第４２０メートルまで水を含むことが判定され、電流値が測定され、断層が水を含むレベルでの電流値が高く測定され（約１０００Ａ／ｄｍ）、水が終端するレベルの後で、電流値が１〜２Ａ／ｄｍに測定された。この状態は、地震では、大地の全体のエネルギーでの上昇が生じるが、最大の上昇が、断層が含む水および地下水で起こることを示す。この実験は、断層内の水および地下水がコンデンサのように作用し、電流を保持するという理論を裏づける。
【００５８】
連続した地震の後に、特定の量の電流が断層において生成される。この電流は、世界中を流れる。それは、世界の様々な場所で地震を起こす。この電流は、地震が起こるか否かにかかわらず長い期間続く。この電流は、春の植物の若返りにおいて特に重要な役割を果たす。
【００５９】
断層での深度でのエネルギーの変化（電場および磁場がエネルギーに依存して変化する）が、ケーブルによって測定でき、より深い点でのエネルギー変化が、例えば１５〜２０ｋｍ以上の非常に長い測定ケーブルを使用することによって探知され、測定できる。したがって、何キロメートルの深度において地震が起こるかが予測できる。さらに、マグマの深度を探知可能にするのに十分な長さの、非常に長いケーブル網を使用することによって、マグマの移動およびエネルギー変化も、電流密度に関してこのシステムによって測定できる。したがって、地震および火山活動に関して、より信頼性の高い予測を行うことができる。実際に、ケーブルを配置した後に、地下の波のシステムおよび電流値は、ケーブルが終端した後にも、地球で水平に連続する。そうした理由で、地下に関係するデータは、ケーブルの端部の後も監視することができる。しかし、この場合、方向を定める困難を経験する可能性があり、他の方向から到達する波によって干渉が起こる可能性がある。こうした理由で、誤った結果を得る可能性がある。
【００６０】
カウンタ波を送ることによって地震波が隠されることを観察してみる。いくつかの物質（例えば、白金、イリジウム、オスミウム、簡単に言えば重白金族および軽白金族の金属およびその合金、金およびその合金すなわち任意の貴金属、グラファイト、絹などの織物）の上に送られた波が一定期間、地震波を減衰させる。これらの物質のうちの１つの材料が、地震活動が測定されている断層に隣接して配置される。次いで、測定ロッドのコイルが、この材料の上に保持され、断層の電流値に近い値の電流が、測定を実施するように、コイルを互いに反発させる方向にコイルに供給される。ロッドは、この材料の上で開閉することによって振動し、次いでロッドは開く。この作用は、一定期間、地震波を解消し、次いで波が再び現れる。したがって、それらの種類の材料の上に放出された波は、地震波と反対の方向に波を生成し、測定の位置で一定期間、地震波を減衰させる。これらの実験において、このデバイスによって測定されたマグニチュードは、波の特徴を示すことが明らかになる。この事象は、表３に与えられた実験を実施する場合に認められる。カウンタ波に現れる地震波が送られ、したがって電流値が低下し、地震中にカウンタ波を送ることの影響が監視される。地震が起こるとき、カウンタ波によって測定が行われる点に地震が到達するのを防止し、地震波が解消された後に、それらが再び現れるまでの期間が、測定が行われる点からの地震の場所の距離に関する情報を与えることが理解されている。測定が行われる点から遠く離れて地震が起こる場合、波は、解消されたとき、時間が経過して再び現れ、それらが接近して起こる場合、それらはより短い期間に現れる。これは、表３および表４が検討された場合に容易に理解できる。しかし、波を消失させる操作では、波のエネルギー、または可能であれば断層が含む鉱物のエネルギーは、消失できない。こうした理由で、水の探索では、その領域に地震活動がある場合、地震の影響がこのようにして解消でき、水に関する測定を行うことができる。しかし、地震が近くで起こっている場合、前記の種類の解消は数分間しか継続しないので、水の信頼性の高い探知が実現できない。地震波を解消するこうした手順が長い間繰り返されると、地震が防止され、または他の場所に移動される。
【００６１】
地震波は、それらが隠された後に、戻されることができないであろうか。今度は、任意のベース材料（活性金属または半貴金属）またはその合金、あるいはサテン、羊毛などの織物、およびゴムなどの材料の上で同じ手順が行われる場合に、地震波が再び現れる。したがって、これらの種類の材料は地震波を強化する波を生成する。実際には、サテン、羊毛などの織物、または非常に薄い材料（例えば薄いフォリオなどの活性金属）、ゴム、などが使用されると、地震波は、コイルに電流を供給せずに振動によって戻される。各材料が、地震波およびそれが放出する波を安定化させる特定の電流値を低下または増加する固有の特徴を有することが明らかになっている。しかし、サテンおよび羊毛などの織物、ゴム、ならびにいくつかの材料には、そのような固定された電流値がない。測定ロッドに対して、それらが互いに反発するようにどれほど多くの電流がこれらの種類の材料の上で供給されようとも、その大きさの電流が安定化される。人工地震波は、地震波を強化する材料のこうした特性を利用することによって生成される。例えば、どのような地震活動もない場合、地震波を強化する物質のうちの１つの材料が断層の付近に配置できる。波の所望のＡ／ｄｍに対応する電流が、ロッドに供給され、それらが材料の上で振動された場合、電流が切断された後でも、調整された電流密度に対応する波がそこで生成される。電流は、これらの材料の上で可能な限り増加できる。これらの種類の人工波は、カウンタ波を再び送ることによって元の状態に戻される。これらの実験は、人工地震が、物質の前記特徴を利用することによって生成できることを示す。これらの操作は、人工地震を生成するために継続的に繰り返される。
【００６２】
地震波を減衰させ、表出させるプロセスが、以下のようにも行われる。例えば、ロッドのハンドルが絹織物によって包まれたときに上方に保持されるなど、地震波を消失する材料によって測定ロッドのハンドル（１）部分が保持され、それらが断層の上で振動されると、地震波が戻る。同じ手順が地震波を強化する材料によって実施された場合、それによって地震波が消失される。これらのプロセスでは、ロッドに電流を供給しなくても、結果に影響を与えない。地震波を隠す（減衰する）別の方法は、ハンドル（１）部分の最上部において各ロッドに磁石を接続することである。ロッドはわずかに振動され、断層の上でこのように放置される。それがこのように放置される時間が長いほど、磁石が取り外された後に地震波が現れるのが遅くなる。このようにして、地震の距離が近くても、地震波は、より長期間減衰できる。
【００６３】
このシステムによって、いくつかの土地では、前の地震の波も監視できる。弾性構造を有する泥灰土のような組成は、その中に地震波を保持する。断層線がそのような土地で探知される。次いで、深度が、測定ネイルおよびケーブルによって、前記線上で測定され、断層の活動の最上点および底点が探知される。ネイルが、５〜１０ｃｍの間隔を置いてこの点の右および左に打ち込まれる。各点の活動的な上方および下方の深度が、ケーブルによって測定される場合、地震計によって垂直に描かれるグラフと同様の構造が現れる。この構造に関して、各最上点および最下点ならびに中間点が測定される。
【００６４】
地震の前に断層内で上昇するエネルギーの理由に関して２つの理論的な考案が提唱できる。第１の理由は、地震が始まるとき、地震の場所で起こる粉砕の結果として放出されるエネルギーが電流を生成することである。ここで生成される電流は、コンデンサのように断層が含む水の中に集積する（図２０）。この電流は、断層内の水により世界中のあらゆる場所に伝達される。したがって、日本で起こる地震は、トルコ共和国でも監視される。前記粉砕の間に出されるエネルギーは、断層を満たす。十分な粉砕が起こった後に、断裂、言い換えれば地震の主な衝撃が起こる。その一方で、断層内に集積された電荷の量、および水および水に溶解されたイオンの結果として生成される電流は、磁気誘導を生成し、粉砕がある場所を加熱し、粉砕を促進する。断層内の電荷強度は、十分な値に達する場合、圧縮がある場所を爆破する。例えば、この事象を以下の実験によって試験することができる。コンデンサの容量を超える電流が反対方向からコンデンサの端部に送られると、コンデンサが爆発する。
【００６５】
第２の理論は、ある場所の圧縮が陸地の移動を妨害する点に達すると、世界の自己保護システムが自動的に作動し、それによって世界によって生成された電流が断層および地下水に集積する。上記に説明したように、この電流は断層内に電磁誘導を生成し、圧縮の場所を加熱し、軟化させる。おそらく、この誘導の影響により、圧縮の場所で熱核反応が始まる。地震前のラドンガス出力の上昇は、この反応の結果であることができる。断層内の電荷の量、およびそれに応じて生成された電流強度、またはその結果生じた振動によって生成された共鳴密度（ｒｅｓｏｎａｎｃｅ  ｄｅｎｓｉｔｙ）が、必要な電磁誘導を生成し、それが圧縮の場所を断裂する力に達した場合、断裂が起こる。さらに、断層および地下水内に集積する電荷、および断層を通って流れる電流の量は、ここに電解溶解（ｅｌｅｃｔｒｏｌｙｔｉｃ  ｄｉｓｓｏｌｕｔｉｏｎ）をもたらし、地震前に地下水内に溶解された鉱物量を増加させる。形成された電磁誘導の影響によって地下で温度が上昇することによる、熱溶解性（ｔｈｅｒｍａｌ  ｓｏｌｕｂｉｌｉｔｙ）における上昇は、水の中に溶解された鉱物の量を増加させる。
【００６６】
以下の異議が唱えられる。断層内の水の中に集積された電流密度は、地震の場所における断裂を可能にするのに十分大きな力をもたらすことができるであろうか。上記に与えられた表を検討するときに、地震活動中に断層内に１２Ａ／ｄｍ〜１６００Ａ／ｄｍの線形の電流密度があることが観測される。断層の垂直成分がケーブルによって調査される場合、水を含む層において、同じ電流密度が垂直にもあることが観測される。この場合、１２×１２＝１４４Ａ２／ｄｍ２から１６００×１６００＝２５６００００Ａ２／ｄｍ２の電流密度が平方デシメートル当たりに起こることが分かる。何十、何百、何千キロメートルもの長さに応じて何百もの、また何千もの平行、垂直、水平の裂け目および水を含む層の表面が、各ｄｍ２における電流密度によって計算され、掛け算され、生成される電磁誘導の値が非常に高くなることが分かる。さらに、測定値とシステムの電流との関係を証明するために、以下の実験が行われた。電気モータによって導かれるＡＣ電流が測定される。それは、２２〜２３．８Ａを導くことが判定される。その後、それは、モータに電流を送るケーブルの上で測定デバイスによって測定される（図１７でのように）。ここで得られる値は、２１〜２４Ａ／ｄｍである。この場合に、デシメートルでデバイスによって測定された波によって生成された電場および磁場を安定化させる電流強度は、電気モータによって導かれた電流にほぼ等しい。この実験によって、断層内で測定されたＡ／ｄｍ電流密度が、断層に含まれる電流の量と等しいことが示される。
【００６７】
４．鉱脈探知方法
測定ロッドが様々な金属、鉱脈、鉱物、織物、プラスチックなどの上で保持された場合、ロッドがその上で交差することが観測される。非常に影響を受けるものもあれば、ほとんどと言っていいほどまったく影響を受けないものもある。次いで、測定される物質の値を安定化するのに十分なように、電流がロッドのコイルに供給された場合、各物質に固有の電流密度が測定される。すなわち、各物質は、固有の波を放出し、この波によって生成された電場および磁場がある。例えば、金、白金のような材料の上で測定が行われた場合に、電流値が５．５〜７．５Ａ／ｄｍになり、鉄、銅、銀のような材料に関しては１．５〜２Ａ／ｄｍ、グラファイトに関しては８〜１３．５Ａ／ｄｍ、クロム鉱（クロム鉄鉱）に関しては８〜８．５Ａ／ｄｍ、鉄・マンガン鉱（ｉｒｏｎ  ｍａｎｇａｎｅｓｅ  ｏｒｅ）に関しては４〜４．５Ａ／ｄｍになることが分かる。各物質はそのような固有の電流値を有することが判定される。これらの種類の電流値は、固定されているのではなく、全体のエネルギーの変化に従って変化する。例えば、地震活動中に電流値における上昇が認識される。しかし、これらの上昇は、水における変化と同じくらい大きくはならない。水の中では、水の流量に従って値が変化する。一方で、別の物質においては、量に従って値が変化することはない。鉱脈および財宝は、物質のこれらの特徴を利用することによって探知される。
【００６８】
断層および水の探知と同様に、鉱脈を含む可能性のある土地で測定ロッドによって走査が行われる。ロッドは、鉱脈の堆積の上を歩いたときに交差する。鉱化作用がレンズ（ｌｅｎｓ）（ヘッド（ｈｅａｄ））の形である場合、ロッドは、このレンズの境界で交差する（６９）。さらに、ロッドが鉱の上の各方向において交差する。したがって、レンズの寸法が判定される。次いで、ロッドをヘッドの上で保持し、ロッドのコイルに、それらが互いに反発するように電流を供給することによって、鉱脈によって生成された電場および磁場を安定化させる電流値（Ａ／ｄｍ）が測定される（１６）。鉱脈のタイプは電流密度に従って判定される。電流密度は、それだけでは鉱脈のタイプを判定するのに十分でない可能性がある。そうした理由で、「デバイスによって測定された特徴」の章で説明されるように、鉱脈の波形状がケーブルの上で判定される。各鉱脈は、固有の波形状を有するので、これらの形状を利用し、波の線の上で波の電流を測定することによって鉱脈のタイプを予測することができる。次いで、ネイルがヘッドのいくつかの点に打ち込まれ、測定ケーブルが接続され、鉱の深度（７０）および厚さ（７１）が、水の測定で行われたように測定される。さらに、電流値も、ケーブルの上で測定される。例えば、クロムの鉱化作用がある土地においてクロム鉱脈が探索されるなどのような、何らかの鉱化作用がある領域において鉱脈が探索された場合、まず、その領域において探知される鉱のヘッド（レンズ）に走査および測定が行われ、必要な電流データおよび深度データが得られる。次いで、これらのデータを探知の場所で得られたデータと比較することによって、より信頼性の高い予測が行われる。鉱脈の堆積が探知される場所では、最上部のレンズが表面から探知される。上方のヘッド（レンズ）の下に他のレンズがある場合、これらは深度の値を測定することによってケーブルによって探知される。鉱脈が水脈の形である場合、ロッドは水脈の右および左の境界、および水脈の境界の間の領域において交差する。ネイルが水脈の上に打ち込まれ、測定ケーブルが連結され、水の測定においてとまったく同様に、水脈の深度および厚さ、およびいくつかの水脈がある場合には、各水脈の始端および終端の深度が判定される。このようにして、鉱脈のタイプが探知される。この点において、最も判断を誤らせる要因は、同様の電流値を提供する鉱および岩の存在である。水も、流量に依存して異なる電流値を与えることがあるので、鉱脈探知において判断を誤らせる要因である可能性がある。しかし、この点において、この要因は、土地の地形的および地質学的な構造を調査することによって部分的に解消される。別の方法では、これらの波の周波数および波長が測定され、「デバイスによって測定された特徴」の章で説明されるように、これらの種類の問題は、波形状を判定することによって解消される。ここで測定された値は、深度に依存しないので、鉱脈がどれほど深くでも、データが得られる。
【００６９】
５．財宝探知方法
鉱脈探知方法では、ロッドによって金属が探知され、固有の電流値によって安定化させることが述べられた。そうした理由で、前記デバイスは、財宝探知においても使用される。水および鉱脈の走査とまったく同様に、財宝を含むと予想される土地に走査が実施される。ロッドは、財宝の上を歩いたときに交差する。ロッドは、鉱脈のレンズとまったく同様に財宝の境界において交差する。しかしここでは、領域は狭く、ロッドは各方向において交差する。次いで、ネイルが打ち込まれケーブルが配置され、水および鉱脈探知においてとまったく同様に、深度および厚さがケーブルの上で測定される。その後に、電流値が測定され、金属と比較され、財宝があるか否かについて予測がなされる。しかし、ここでは、判断を誤らせる要因がある。ヒストリカルアッシュ（Ｈｉｓｔｏｒｉｃａｌ  ａｓｈ）は、金が与える電流値と同じ電流値を与える。いくつかの粘土鉱物、鉱物、および鉱脈は、金が与えるの同じ電流値を与える。これらの種類の物質は、すべての探知装置の金に対する判断を誤らせる。しかし、「デバイスによって測定された特徴」の章で説明されるように、この問題は、各物質の波の固有の形状および特徴が異なるので、部分的に解決される。デバイスの判断を誤らせることがほとんどない対象物は、金を除いた金属であり、その理由は、その他の金属の電流値が、通常低く、それらは容易に区別できるからである。このデバイスの探知においては深度の問題がまったくない。深度がどれほど大きくても、デバイスは探知を行い、深度がケーブルを介して測定され、それは、このデバイスが自然放射および物質によって放出されたエネルギーを測定するからである。前章では、これらの放射が深度によって影響されないことを述べた。
【００７０】
６．石油探知方法
水および鉱脈の堆積の探知において使用されるだけでなく、デバイスは石油および天然ガスの貯留槽の探知においても使用できる。この目的で、最初に、既知の石油および天然ガスの貯留槽において、地質学的断層、地震、地下水、および鉱脈の探知とまったく同様に、測定デバイスによって表面から走査するときに、断層、岩脈、トランスプレッション帯、岩塩ドームなどの地質学的構造が探知される。土地に関連する電流が測定され、必要なデータが集められる。次いで、測定ケーブルの上で深度の測定が実施され、必要な層の変化およびそれに関連する情報が集められる。したがって、土地に関するすべてのデータが、３次元で得られる。石油層によって得られる電流値が探知される。「デバイスによって測定された特徴」の章で説明されるように、石油層の波形状および波長、周期、周波数などの波の特徴が判定される。地下水と石油層の接触領域が発見される。ここでも同様に、前記プロセスを実施する一方で、各層の変り目において、異なる電場および磁場が電位差によって物質の接触表面に形成されるので、それは、ロッドの動き、および表面およびケーブルの上の両方からデバイスによって測定される電流値から利益を得ることができる。
【００７１】
次いで、石油の探索が行われる土地において、土地は表面からロッドによって操作され、断層、岩脈、トランスプレッション帯、および同様の構造が位置を特定される。土地の電流値が分かる。それに続いて、ネイルが必要な場所に打ち込まれ、ケーブルが配置され（配置されるケーブルの量は、走査される深度のメートル数に依存する）、使用者はロッドを携帯してケーブルの上を歩き、すべての層および厚さを判定する。次いで、これらの層の電流値が測定され、探知された波の形状および特徴が判定される。石油によって与えられた電流値と同様の値が得られ、同様の特徴を有する波が捕えられた場合、石油の存在が探知される。このデバイスは、液体から直接到達するデータを探知するので、石油層の深度および厚さを直接的に与える。水において行われるのとまったく同様に、石油層の始点および終点が、ロッドの移動、電流値、および波形状によって、信頼性の高い様式で判定される。オイルの波の形状は水の波および鉱脈の波とは異なるので、その探知は、より容易である。このプロセスは、他の地球物理学的方法と比較してより安価で、適用が容易であり、信頼性が高い方法である。
【００７２】
７．地球の地質学的構造および地球化学的組成を解明する方法
このデバイスは、ケーブルの方法によって大地のあらゆる深度におけるデータを探知できる。したがって、必要であれば、数千キロメートルもの測定ケーブル網がいくつかの国を含んだ国際的な協力によって構築できる。測定が行われる点にステークが打ち込まれ、それがケーブル網に接続される。すべての層が、地球のコアまでケーブルの上で探知される。各層の電流密度の値が、メートルごとに測定される。波形状および波の特徴が判定される。波のこれらの電流値および特徴は、鉱脈および岩の波の電流値および特徴と比較され、したがって各層の地球化学的組成が判定される。適切な研究所が大地に構築される。地球の各深度での予測され、計算された、圧力および温度のデータに従って、鉱脈、岩、金属が研究所でのこれらの圧力および温度の値にかけられる。これらの条件の下でそれらによって放出されたエネルギーと関連する電流値がデバイスによって測定される。波形状および波の特徴が判定される。ここで得られたデータを地下から得られたデータと比較することによって、地球の地質学的、地球化学的、電気的、および磁気的な構造がより詳細に解明される。さらに、はるかにより詳細な情報が、地球のコアの構造について得ることができる。
【００７３】
さらに、海および海洋での特定の点において、測定ネイルが海面で水中に浸され、測定ケーブルが船舶によって海および海洋の表面に配置され、ケーブルがバルーンのような用具を介して表面に残ることが確実にされる。その後に、海および海洋の深度における電流値がこのケーブル網の上で測定され、その波形状が描かれる。したがって、電流値、電波、および磁気波の特徴を測定することにより、層の変化、塩比率、暖流および寒流、流れの境界面、海および海洋の深さおよび温度についての情報が得られる。
【００７４】
８．人間の脳および身体の電流を測定する方法
血液の流れにより人間および動物の脳および身体の中に電場および磁場が生じる。測定ロッドは、人間の頭上に保持されるとき交差する。ロッドのコイルに電流を供給することによって、脳によって生成される波の電流が安定化される。したがって、脳の磁場力および電流密度が測定できる。身体の他の臓器の電流が、同じ様式で測定される。最大の電流が、身体の最大の動きがある腹部および脳の区域において測定される。さらに、「デバイスによって測定された特徴」の章で説明されるように、脳波の形状が描かれ、それぞれの波の電流が個別に測定される。測定された電流、波の数、波の特徴により、脳の容積および個人の才能に関する情報がもたらされる。健康な臓器の電流値および特徴が記録される。臓器に疾患が生じた場合、波の電流および特徴が測定される。このようにして、病気が臓器の電流の変化および波の特徴から診断できる。さらに、微小規模のロッドが生成され、それによって血管が監視され、または測定ケーブルに連結された小型の導電性ノブが、血管の上に通され、監視が、ロッドによってケーブルの上で実現される。血の循環が健康である血管の上で、ロッドが通常の動きを行い、通常の電流値を示す。血管の閉鎖がある場合移動が停止するので、ロッドの移動も遅くなり、電流が低下する。したがって、身体の血管の閉鎖が診断できる。しかしここで、ロッドは測定中に測定される臓器の電場とは反対の方向に電場を生成するので、脳および心臓のような臓器が、長時間この影響を受けるべきではない。別の問題として、世界の全体のエネルギー変化は、人体のエネルギーを変化させるので、固定されたデータを得ることができないことがある。こうした理由で、世界のエネルギー変化に対応する電流の変化の表を準備する必要があり、診断および治療が、それに従って実施される必要がある。この点において、以下の問題が提起される。内側の臓器の電流は、どのようにして測定されるであろうか。答えは、ケーブルの方法によるものである。表面から測定された値は、身体の外部に最も近い臓器の電流である。端部に小さな金属部分を有するケーブルが、その電流を測定したい臓器の上で使用され、そこで金属部分が身体に接触し、ケーブルが、身体内の臓器の深度に対応する距離で、身体から延出され、次いで臓器の電流がこの距離で測定され、波の形状が描かれる。
【００７５】
「デバイスによって測定された特徴」の章で説明されるように、２００７年７月１３日に行われた実験から得られる結果に従って、人間および動物の臓器の内部構造が、大地の構造を解明するのに使用された波を介した波探知方法によって解明される。例えば、測定ケーブルのプローブが、血管の上に接続される。次いで、使用者は、ロッドを携帯してケーブルの上を歩く。この血管に交差する他の血管がある場合、ロッドが交差する。ここで、異なる波が現れる。次いで、この波が測定ケーブルによって水平に描かれ、それが監視される。それに続き、この波に交差する波が、水平に描かれ、同じ様式で監視される。したがって、チェーン・モニタリング・システム（ｃｈａｉｎ  ｍｏｎｉｔｏｒｉｎｇ  ｓｙｓｔｅｍ）によって、生物の内部構造が解明される。
【００７６】
このシステムの要素は、脳の断層像、身体の画像を撮影するＮＭＲ（核磁気共鳴法）のようなシステムとは異なる。他の磁力システムでは、脳と身体の画像が強力な磁場を適用することによって得られる。本発明のシステムは、身体によって放出された自然の電波および磁気波の探知、および身体の電流値の測定、および波形状および特徴の判定に基づいている。
【００７７】
地震の研究では、地震波を減衰する物質を介して生成されるカウンタ波は、人間の性交能を低下させることが観測される。一方で、地震波を強化させる物質によって放出される波、およびいくつかの追加の物質が人間の性交能を上昇させることが観測される。したがって、物質によって生成された波は、人体に特定の心理学的および生理学的な効果を生む。特定の治療方法が、これらの種類の波を利用することによって人間に適用できる。さらに、特定の性的疾患が、この方法によって治療できる。
【００７８】
波はどのように人体に適用できるであろうか。いくつかの適用法がある。１−方法が適用される個人によって測定実験が行われる。したがって、物質内で生成された波がこの個人に影響を与える。２−その波を適用する材料が、個人の上に保持される。ロッドは、ロッドのコイルに電流を供給するとき、この材料の上で開閉することによって振動される。したがって、コイルは材料の上の波を個人の身体に伝達する。３−その波を適用する材料が、ケーブルの端部に接続される。小さな材料のプロップが、ケーブルのもう一方の端部に接続される。材料のプロップが、波が適用される臓器の外側から接触される。測定ロッドが、ここでも同様に材料の上で、そのコイルに電流を供給することによって振動される。材料の波が、ケーブルの上で接触される臓器に伝達される。４−その波を適用する材料が、波がその上に適用される臓器に接触される。振動が、ロッドによってその上で実現される。５−その波を適用する材料が、鋭い縁にされた導電性のロッドの周りに巻かれる。その鋭端は、波が適用される１人または複数の個人に向けられる。振動が、測定ロッドのコイルおよび前記ロッドの上で実現される。６−波形状は、波が適用される臓器に測定ケーブルを接続することによって判定される。材料が、波の線に配置される。測定ロッドに電流を加えるときに、材料の上で振動を実現することによって、材料の波が臓器の波に伝達される。したがって、より局所的な点が治療できる。磁石をロッドに接続し、磁石を材料の上で振動させることによって、同じプロセスが実施できる。前記または同様の方法によって、適用が実現できる。しかし、この点において、これらの種類のプロセスを行っている間、適用が実施される建物または土地の付近に断層の裂け目がある場合に、材料から放出された波が人工地震波を誘発する可能性があることに留意する必要がある。したがって、適用が実施される場所において、地震波に関する予防対策を行う必要がある。
【００７９】
９．月、太陽、星、惑星、銀河、および他の天体を調査する方法
このシステムにおいて測定される特徴が、距離に依存しないことが、前の部分に開示された。したがって、すべての種類の天体、およびその他の空間に関するデータを測定することが可能である。
【００８０】
測定ケーブルに接続された導電性のネイルまたはロッド（６１）が、電場および磁場、またはエネルギー値が測定される天体に正確に目標を定められる。標的は、それをショットガンによって目標を定めるのとまったく同様に、ケーブルの端部にあるロッドによって目標を定められる（図３０）。しかし、人体が導体に触れてはならない。より正確なターゲティングが、双眼鏡のようなデバイスの中央にターゲティングネイル（６１）を配置することによって達成される。標的にされた身体の電流が、直ちにケーブルに電場および磁場を生成し、ロッドがケーブルの上で保持された場合、それらは、水、断層、鉱脈の探知で行われるのとまったく同様に交差する。標的にされた天体の電流値が、断層、水、鉱脈の探知において行われるのとまったく同様に、ロッドの端部においてコイルに電流（１６）を加えることによって測定される。したがって、関連する身体の電場および磁場に関するデータが得られる。ここで得られたデータは、身体の最も外側の点に関するデータである。深度におけるデータを得るために、大地になされる測定においてとまったく同様にケーブルが延出され、ターゲティングネイルから始まるケーブルの上で測定される太陽、月などの天体について、深度における情報が得られる。このシステムによって、惑星の地質学的な構造についても情報を得ることができる。水があるか否かを探知することができ、生命の痕跡があるか否かさえも探知することができる。この目的で、望遠鏡（７５）が補助ツールとして使用される。例えば、惑星（７６）が調査されている場合、測定ネイルが望遠鏡（７５）によってより詳細な点に標的を設定され、したがってより局所的なデータが得られる。より広い、皿形状のアンテナ（７２、７３、および７４）がここでネイルの代わりに使用することができるが、結果は変わらない。これらのデータは、地球に関して得られたデータと比較され、水かあるか否かの事実とともに岩の構造が判定される。地球上の生命体のエネルギー値がこのデバイスによって測定され、波の特徴が判定され、監視された惑星およびその他の天体に関して同様のデータがあるか探索され、生命の痕跡に関する情報が得られる。本発明によって、太陽系に太陽系以外、および他の銀河の生命の痕跡があるか否か発見することが可能になる。得られるデータは、適切なプログラムを介して、地球上の代替物と比較されて、コンピュータ上の画像に変換される。
【００８１】
走査において、監視された天体のより大きな領域を走査することが望ましい場合、大きくかつ幅広なディスク（７７）が低帯電性の特徴を有する材料から作製される。導電性のネイル（６１）が、特定の距離でこのディスクに装着される。個別の測定ケーブル（３７）が、各ネイルに接続される。次いで、ディスクは、望遠鏡とともに移動するように適切に装着される。さらに、望遠鏡（７５）およびディスク（７７）を作動させるコンピュータ制御された作動システム（７８）が作製される。各ネイルに接続されたケーブルの上で個別の探索を行うことによって、より大きな領域が一度に走査される。このデバイスによって測定されたいくつかのデータが、表５に提供される。
【００８２】
表５
測定された天体、日付、時間、電流（Ａ／ｄｍ）
------------------------------------------------------------------------------
太陽17.10.2006 14
月26.02.2007 22:05 42.8
月03.03.2007 21:40 207
太陽15.04.2007 18:05 133
太陽16.04.2007 09:25 132
月23.05.2007 21:00 110
惑星  金星23.05.2007 21:02 185
任意の星23.05.2007 21:06 104
任意の星23.01.2007 21:08 95
任意の星23.01.2007 21:15 460
------------------------------------------------------------------------------
＊これらの測定は、非常に正確に行われてはいない。それらは、情報の目的でのみ提供されている。
【００８３】
天体の電場および磁場が、これらの電流値を利用することによって計算される。その構造は、３次元で分析される。
一方で、「デバイスによって測定された特徴」の章で説明されるように、これらの天体から到達する波の波形状は、ケーブルの上で判定される。これらの波の特徴が、判定される。そこに生命の痕跡があるか否かが、明確にされる。より多くの信頼性の高いデータが、その構造に関して得られる。さらに、これらの波によって、天体の間の通信を可能にすることもできる。
【００８４】
１０．植物、木、などの生命の電流値の測定
ロッドを植物および木の枝の上に保持することにより、枝および葉からの放射によって、植物の電流値が測定される。枝の下でロッドを保持することによって測定が実施される場合、木についてのデータは得られない。枝の上でロッドを保持することによって測定が行われる場合に、データが得られる。この状態は、放射が空間に向かって放出されたことを示す。この目的で行われたいくつかの実験の結果が、以下の表に与えられる。
【００８５】
表６
測定された植物、日付、時間、電流（Ａ／ｄｍ）
------------------------------------------------------------------------------
直径３．１ｃｍの栗の木の枝03.05.2007 15:02 2.3
バラのバンク03.05.2007 15:04 3.5
直径０．８ｃｍの開花したアメリカミザクラの枝03.05.2007 15:07 7
直径７．６ｃｍのアプリコットの枝03.05.2007 15:17 25
新しく開花したモモの木03.05.2007 15:35 10.5
樹齢５年のザクロ17.05.2007 15:12 106
直径０．５ｃｍのクワの木17.05.2007 15:29 102
乳牛の頭（植物ではない）19.07.2007 128
------------------------------------------------------------------------------
これらの電流値が研究された場合、木が帯びる電流は、春のその若返りにおいて大きな重要性を有することが理解される。
【００８６】
植物の生産力および病気、木の樹齢が、これらの電流値を使用することによって探索される。生化学的および生物学的事象がこれらの電流に生じる変化の際に解明される。本発明は、農業における新時代を示すであろう。さらに、すべての植物および動物の波形状が判定される。植物および動物の生理学が、これらの波形状によって解明される。それらの言語が判読される。それぞれの生命体は、無線波と同様の固有の波を生成することによって、そのメッセージを伝える。重要なことは、これらの波を人間が聴覚し、視認し、聴取することができるレベルに低下させることである。すなわち、いくつかの設計変更がラジオおよびテレビに行われ、これらの波によって表現された音および画像が得られる。したがって、生命体および物質が我々に何を伝えようとしているかが理解される。
【００８７】
１１．レーダ方法
以下の実験が単一シリンダの空冷ディーゼルエンジンに行われた。エンジンが動作された後に、デバイスの測定ロッドがエンジンの上に保持された場合、ロッドが交差することが観測される。次いで、ロッドを同じ電荷で帯電させるようにロッドのコイルに電流が供給され（図１７でのように）、エンジンによって放出された波の値が測定される。エンジンは、全速で稼働している場合に、１３０〜１４０Ａ／ｄｍの電流を生成することが観測される。速度が低下した場合、電流値も低下する。この実験は、電流が移動する機械および対象物の上で生成され、放射がこの結果として生じることを示す。これらの特徴を利用することにより、本デバイスは、レーダとして使用することもできる。この目的で、図３２でのように測定ケーブルの端部に接続されたネイルまたはアンテナ（６１）が機械的または電気機械的なシステム（７９）によって移動される。測定ロッドが、平行な様式で測定ケーブルの上に保持される。ネイルまたはアンテナが移動する対象物を捕えると、（航空機、ヘリコプタ、衛星、船舶、陸上車両など）、電流が測定ケーブルに生成され、ロッドが移動する。対象物の電流値が、ロッドのコイルに電流を供給することによって測定される（１６）
このシステムによって、航空機が移動する場合、固有の波を放出するので、レーダによって捕えられない航空機でも、これらの種類のレーダによって位置を特定することができる。波を放出しない航空機は、飛行していないことになる。それが飛行していれば、どのような形であれ、これらの種類のレーダによって捕えられる。実際には、これらの種類の航空機の波は特別なので、それを捕えるのは容易である。それぞれの乗り物の電流値は、速度およびタイプに従って前もって判定される。次いで、レーダによる電流値によって、飛行物の識別情報が探知される（８０）。測定ケーブルに半球形（８１）アンテナが接続された場合、大きな領域を走査する機会があるので、対象物がより迅速に探知される。半球形アンテナの底部は、下からの波を受けるのを防止するために絶縁される。
【００８８】
航空機だけでなく、船舶および陸上車両も、このシステムによって探知される。
ロッドを飛行物の下で保持しながら測定が行われる場合、データはまったく得ることができない。しかし、対象物が測定ケーブルに連結されたネイルまたはアンテナによって目標を定められた場合、データが得られる。この状態は、生成された波の方向が、宇宙に向けられていることを示す。導電性ロッドがこれらの波を磁石のように引き寄せ、その上に集めることができるので、ネイルは、乗り物に目標を定められた場合、それ自体の上に波を引くことは、これらの波が電気的および磁力的な特徴を現すことを示す。
【００８９】
このシステムの他のレーダとの違いは、レーダ波が他のレーダにおいて生成され、探知が航空機、船舶などの対象物からのこれらの波の反射に従って行われることである。一方で、このシステムでは、波がまったく生成されない。移動する対象物によって生成された波が捕えられ、探知が行われる。
【００９０】
この目的で行われたいくつかの実験の結果が、以下の表に与えられる。
表７
航空機、日付、電流（Ａ／ｄｍ）
------------------------------------------------------------------------------
高い高度で飛行する大きな旅客航空機17.05.2007 120
------------------------------------------------------------------------------
このシステムは、以下のように異なる様式で適用される。非導電性ステーク（８２）が、図３３でのように陸地の高い点に打ち込まれる。ネイルまたは導電性のロッド（６１）が、異なる方向にこれらのステークに連結される。ここで、異なる方向にネイルを連結する理由は、監視される乗り物がどの方向から来るか判定するためである。ここでネイルまたはロッドの代わりに、異なる形状のアンテナも使用される。しかし、鋭端を有する対象物は、こうした種類の波をよりよく探知するので好ましい。測定ケーブル（３７）が、ネイルに接続される。測定ロッド（１５）によって、ケーブルの上で制御が行われる。乗り物がネイルまたはロッド（８０）の影響の領域に入るとき、測定ロッドが、ケーブルの上で交差し始める（１５）。同時に、対象物の電流が測定され、波形状が判定され、乗り物に関する予測が行われる。このように行われた実験の結果として、大きな旅客航空機が、レーダポイント（ｒａｄａｒ  ｐｏｉｎｔ）に到達する１０分前に探知された。すなわち、航空機は、約１５０ｋｍの距離で探知された。対象物は、最上点に到達するまで、このネイルの制御下のままになり、最上点を通過した後、他の方向のネイルの制御下に移る。直径３００ｋｍの領域が、そのような単純なレーダによって制御できる。もちろん、制御距離は、土地の構造によっても決定される。レーダの周囲に高い山がある場合、これらの山は遮蔽を形成し、この状態は影響を与える領域を縮小する。レーダが構築される点が高いほど、影響の領域がより拡大する。実験では、付近の道を通過する車両も、ネイルの視界の領域内に入る場合に、探知される。そうした理由で、低い高度から飛行することで他のレーダによって捕えられていないロケットが、これらの種類のロケットによって発見される。
【００９１】
これらの種類のレーダでは、レーダの影響の領域を拡大するために、水平の導電性ロッド（８３）が、中央のレーダから特定の距離で高い丘に配置される。次いで、関連する方向の中央のレーダのネイルが、前記丘のロッドを認識するために調整される。したがって、レーダの影響の領域が拡大される。そのようなネイルまたはロッドが、中央のレーダから１５０ｋｍ離れて丘に配置されたと仮定すると、このロッドは、それから１５０ｋｍ離れた距離で探知される。中央のレーダのネイルが１５０ｋｍを探知し、したがって、影響の領域が、３００ｋｍに増加される。このようにして、影響の領域が、望みに応じて増加される。
【００９２】
そのようなレーダでは、低い高度から飛行する対象物に対するレーダの影響を増加させるために、土地を制御するためにレーダの影響の領域における不感領域内の特定の点にアンテナが配置される。これらのアンテナに接続されたケーブルは、高い点に延出される。導電性材料が、高い点でケーブルの端部に接続される。次いで、前記方向において、この導体とレーダのアンテナ（ネイルまたはロッド）との間に接触が確立される。
【００９３】
１２．物質および岩の化学組成の分析方法
ロッドが、測定が行われている点または物質の上で、異なる電流値で互いに平行なままになることが観測されることがある。以下の結果が、この状態から導かれる。同じ場所または同じ物質に異なる値で放射する鉱脈および構造がある。例えば、鉱の標本に測定が行われ、異なる電流値が得られる。これらの電流値が、知られた純粋の鉱脈の電流値と比較される。したがって、鉱脈のタイプまたは鉱の構造において固有の要素に関連する予測がなされる。この種の分析は、５０％以上の情報を提供するが１００％ではない。
【００９４】
異なる電流密度を安定化させる羊毛、サテンのような織物、およびゴムのような物質の能力は、有機化合物の構造の中の各官能基および各化学結合構造が、異なる値で放射することから生じる。したがって、各官能基および結合構造の放射に依存する電流が探知される。次いで、これらの電流値によって、その構造が未知である化合物の構造が解明される。
【００９５】
さらに、「デバイスによって測定された特徴」の章で説明される実験の結果として、波形状が判定され、その電流が測定されるとき、これらの分析がさらに明確にされる。
１３．電力線を通過する電流の測定
本デバイスは、（地震探知の章で説明されるように）電力線を通過する電流を探知するので、地下を通過するケーブル線が探知され、線を通過する電流の強度が、線が露出していても隠れていても、このシステムによって測定される。測定ロッドが線の上に保持され、（図１７でのように）その電流が測定される。線が上に通る場合、測定ケーブルに接続されたネイルが線に目標を定められ、電流が測定ケーブルの上で測定される。線が壁の内側を通過する場合、測定ケーブルに接続されたネイルが壁に接触し、ここでも同様に電流が測定ケーブルの上で測定される。
【００９６】
デバイスによって測定された特徴
デバイスによって測定される特徴は、その周囲に電場または磁場を形成し、空間に直線的に分散する、極性を与えられた放射または波である。これらの波は、波の特徴を表す点で電磁波と同様である。しかし、その特徴の中には、通常の電磁波とは異なるものもある。例えば、通常の電磁波は、電場または磁場によって影響を受けない。前記波は、影響を与え、同時に電場または磁場によって影響を受ける。前記波は宇宙線のなどの荷電粒子からなる電磁波であることを仮定すると、前記放射を形成する材料は、質量の損失または時間による特定の変化を受ける。各材料が固有の放射を有することが、明細書に説明されている。例えば、放射する金の片は、それが宇宙放射である場合、時間による質量の損失を受け、またはそれが二次的なベータ（電子）放射である場合、時間によって電子を失うので、＋に帯電したイオンクルーになり、またはそれが失った電子を集め、したがってその周囲に電流を形成する。現在、そのような事象は、日常生活においてまったく観測されていない。したがって、前記デバイスによって測定された波は、これまでに定義された電磁波とは異なる。次に、実験の結果を精査することによって前記波を説明する。
【００９７】
以下の実験が行われる。測定ロッドが電気モータまたはデバイスに電流を送るケーブルの上で保持された場合、ロッドが交差するのが観測される。ロッドは、ロッドのコイルに電流を供給するとき平行な位置で均衡し、電流が（図１７でのように）Ａ／ｄｍとして測定される。それに続いて、デバイスによって導かれた電流が測定される。ロッドを安定化させるＡ／ｄｍの電流は、ほぼデバイスによって導かれる電流に等しいことが観測される。ケーブルを空中に持ち上げ、同様にロッドをケーブルの下に保持することによって測定が実施される場合、ケーブルを通過する電流に関するデータは、まったく得られない。前記実験の結果は以下のようになる。ケーブルを介して、空間に向かって放射がある。実際に、正弦波電流および加速粒子は放射を形成することが物理的に知られている。しかし、前記発明システムによって測定されたレイは、電場および磁場をその周囲に形成する。実際に、ヘルツおよびマックスウェルの波動方程式によれば、電磁波を伴う互いに直交する磁場および電場があることが知られている。しかし、前記波は、その周囲に電場または磁場を形成しない。
【００９８】
太陽の電流値が測定される場合、大きなトレイを測定ケーブルの端部に接続し、それを太陽にかざすとき測定される電流値と、ネイルをケーブルの端部に接続し、太陽に標的を設定するときに測定される電流と、針をケーブルの端部に接続し、太陽に標的を設定するときに測定される電流とは、同じであることが観測される。太陽によって放出された通常の電磁波の値が測定される場合、トレイはより多くの放射を集めるので、より大きな電流値が得られる。しかし、ここでは、表面は重要でないことが分かる。したがって、本発明のデバイスによって測定された波は線状に広がり、針またはネイルの端部によって集められる。より詳細には、前記レイは電気的および磁気的な特徴を有するので、特定の距離にあるレイは、磁石のようにネイルまたは針に向かって進む。ここでも同様に、測定ネイルが特定の恒星に標的を設定され、その電流が測定される場合、９５Ａ／ｄｍ、１８５Ａ／ｄｍ、４６０Ａ／ｄｍのように、測定される電流値が高くなることが観測される。これらの値は、最も近い恒星でさえ数千光年離れていることを考えると、驚異的である。これらの実験は、前記レイが距離によって影響されないことを示す。
【００９９】
断層のエネルギーが測定される場合、断層の裂け目に接近するまで、ロッドにおける移動がまったく観測されない。断層に接近したとき、作動が開始し、断層の裂け目の上で最大の移動が観測される。すなわち、断層から放出されたレイは、周囲には多く分散されない。この事象によって、断層の平面に沿ってレイが空間に向かって放出されることを実証される。言い換えれば、前記レイは極性を与えられ、それらが平面に沿って放出される。
【０１００】
金属、合金、織物、ゴム、プラスチック、岩、鉱物、植物、動物、人間の上で測定が行われた場合、各物質および生命体は、固有の電流値およびそれに関連する放射を有することが分かる。デバイスが恒星の電流値を測定する場合、それは恒星から到達する宇宙線を捕えることを仮定する。宇宙線は、高エネルギーのレイであるので、必要な電気および磁気の影響をロッドに生成し、ロッドの移動を可能にする。この場合、地球上の物質によって放出された磁気レイは、どのように説明されるであろうか。例えば、サテン織物は、かなり高い値で放射を放出することができ、各物質は、それより多く、または少なく放射を放出する。この場合に、物質はこれまで発見されなかった宇宙線を放出し、またはそれらは知られたレイとは異なる磁気的および電気的レイを放出する。物質が放射することは知られている事実であるが、これらは、互いに直交する電場および磁場を有するの通常の電磁波である。
【０１０１】
いくつかの物質によって放出される波は、いくつかの他の物質によって放出される波によって減衰される。例えば、サテンのような織物は、測定ロッドのコイルに供給されたのと同じだけの電流の均衡をとる特徴を有する。これは、そのような物質が、非常に異なる周波数および波長の波を放出できることを意味する。さらに、絹などの織物は、低い電流密度を有する。絹織物およびサテン織物が、互いに接触して並べて配置され、測定が行われると、低い電流密度が得られる。これは、絹織物によって放出された波が、サテン織物によって放出された波を減衰させることを意味する。
【０１０２】
以下の解説を、これらの実験の結果に従って行うことができる。このデバイスによって測定された波は、知られた電磁波および宇宙線とは異なる、電気的および磁気的な特徴を示す波である。物質は、通常の電磁波を放出する一方で、それらが帯びるエネルギー量に比例して、電波および磁気波も放出する。これらのレイに伴う波があり、電気的および磁気的な特徴を示す。したがって、これらの波は、移動する経路においてその周囲に電場および磁場を生成する。
【０１０３】
これらの波は、次元跳躍の特徴も有する。例えば、地下水または大地の層の探知では、地下に関係するデータは、測定点に打ち込まれるネイルに連結された測定ケーブルの個別の区域に反映される。すなわち、大地の最初の１０ｍにおいて１Ａ／ｄｍの電流がある場合、１Ａ／ｄｍの電流が、ケーブルの最初の１０ｍにおいて測定される。大地の１０〜３０ｍにおいて２０Ａ／ｄｍの電流がある場合、２０Ａ／ｄｍの電流が、ケーブルの１０〜３０ｍにおいて測定される。ケーブルは、単一の点からのこれらのデータを受ける。この場合、同じデータがケーブルの各点において測定される必要がある。ケーブルの異なる区域において異なるデータが得られるので、これらの波は同じ導体上で互いに飛び越えることができ、同等の領域に落ち着く。この点において、以下の異論を唱えることができる。大地の下の電場および磁場は、ネイルが打ち込まれる点から誘導が始まり、ケーブル上でそれ自体と同等の場を生成する。この異論に対して、以下のように答えを示すことができる。
【０１０４】
１．ネイルが１０ｍの高さに持ち上げられ測定が行われている点に下側に向けられた場合、同じ点に関する同じデータが得られる。ここで、大地との接触が破られ、誘導の影響が部分的に低下される。
【０１０５】
２．恒星の電流が測定される場合、何千、何百万光年の距離があるので、これらの波がこの距離を移動し到達すると、それらは減少し、通常のレイと同様に、それらが遭遇する障害物のために散乱し、その影響のうちのほんのわずかしか地球に到達しない。恒星は、我々に最も近い恒星である太陽よりも多くの電流を与えることができるので、電流は地球に損失することなく到着し、それは電流が次元跳躍することを意味する。
【０１０６】
３．人間の脳がこの種の波を放出することが、実験によって確認されている。私は、人間の思考は、この種の波からなると推定する。思考の速度が検討される場合、思考に関する速度の概念はない。瞬間の概念がある。人間の精神は、ある瞬間に空間の最も深い点にあり、別の瞬間に夢の向こう側にある。脳がこれらを実現する場合に、時間差がない。脳は、一瞬でどこへでも到達する。この場合、人間の思考も次元跳躍し、どこへでも到達するということができる。これらの洞察に間違いがなければ、非常に遠くから我々に情報を送る身体の現在の状態に関する情報を得る機会がある。例えば、２百万光年の距離から我々に光を送る恒星の現在の状態が、２百万年前の状態の代わりに分かる。
【０１０７】
これらの波は、スクリーニングの特徴を有する。例えば、地下水が探知された場合、最上部の水の層の電流が表面から測定される。下方の層の電流は、ネイルが打ち込まれ、測定ケーブルがそれに接続された場合にのみ測定できる。したがって、上方の水の層の電流が下方の層を遮蔽する。また、星、惑星などの天体に関して得られたデータが、その最も外側の磁気的および電気的な構造に関連付けられる。
【０１０８】
このシステムによって得られたすべてのデータが、コンピュータにおいて適切なプログラムによって画像に変換され、測定されたシステムの画像が得られる。あるいは、テレビまたはラジオがこれらの波によって設計でき、画像が得られ、音を聞くことができる。
【０１０９】
本発明は、地球、惑星、恒星、および同様の天体の磁性を説明する。電流を送っている導体の上で測定ロッドを保持することによって測定が行われている場合、Ａ／ｄｍにおいて測定された値は、導体を通過する電流の強度とほぼ等しいので、我々は別の測定において得られたＡ／ｄｍの値が、そこで生成された電流に等しいことを容認できる。したがって、多かれ少なかれ、１つの電流が、身体、ならびに移動または振動している物質のすべての周囲で生成される。電流がある場合、関連する電場および磁場がある。さらに、移動していない身体内および物質内にも電流がある。この電流の発生源は、部分的には地球の軸を中心とした回転であり、部分的には物質の原子および分子の振動であり、結晶のケージ（ｃｒｙｓｔａｌ  ｃａｇｅ）の構造を備える電子の移動であり、陽子および中性子の振動から生じる核磁気共鳴であることができる。
【０１１０】
結論として、地球の軸を中心とした回転、および太陽の周りの回転の結果として、電流が生成される。地球の表面を流れる河川、地下水、海および海洋の波、海および海洋の流れ、風、火炎、鉱脈、石油貯留槽、地殻の下のマグマの動き、および地核。最後に、これらのすべての要因の結果が、地球の磁性を生成する。同様の構成が他の天体に関しても有効である。地球と他の天体の間の引き付け合う力を、本発明の後に再計算する必要がある。
【０１１１】
以下の実験が、２００７年６月１３日に行われた。
水のレベル、水の層の厚さ、井戸が掘削された点の垂直および水平の裂け目のシステム、岩の構造、および水の流量についての、前もって掘削されたほぼ６０ｍの深度の水の井戸に関するデータがあった。測定ネイルが井戸の入口に打ち込まれ、ケーブルに接続された約８０ｍのケーブルが配置された。次いで、使用者は、測定ロッドを携帯してケーブルの上を歩き、水の層の上方および下方の点、およびその間の水平層がロッドの交差によってケーブル上に記録された。その後に、使用者は、ケーブルに生成された電場および磁場がケーブルの右および左に影響する距離を発見し、この場の形状を判定するためにケーブルに直交して右および左に歩いた。ロッドがケーブルの右および左で交差した点（１５）が、図３４のように記録された。これらの点が接続される場合、ケーブルを通って流れる波の形状（８４）が見えた。または、それに伴う電流および磁流の経路が、波の形状に現れた。水の層の始まる深度において、２つの波が同じ平面の同じ点において相反的に始まり、水の層が途絶える深度からこれらの波が戻り、反対の方向の波と結合される（８８）。戻った後のいくつかの波は、直線的に到達し、開始点で結合する（８）。測定ケーブルを水平軸として考え、波がケーブルの右および左から流れる。水平の水の層の電気的および磁気的な成分が、測定ケーブルに直交して交わり、右および左に向かって開く（８５）。ロッドは、この直線状の線（８５）に沿って、ケーブルの右および左に交差する。この線は、大地の平面に垂直な波のスクリーンを構成する。すなわち、大地の下で水平線が、大地の上で垂直になる。どのように、これらの垂直な線の波が監視されるであろうか。このときには、直交する木のステーク（８２）がこれらのスクリーンに平行に打ち込まれた。ネイル（６１）が、電気および磁気のスクリーンに対して直交するように、これらのステークの最上部に接続された。それらのネイルに接続されたケーブル（３７）が、反対方向に向かって配置され、それによって垂直位置のスクリーンが水平位置にされた。水平の位置では、これらの場の波の形状が判定された（９３）。波の線のどの場所においても、測定ロッドがこの線の上に保持され、波の電流がデバイスによって測定された。それぞれの波の電流は、それ自体の線上で測定され、したがって、それぞれの波が個別に測定される。このようにして、４つの波の形状が、井戸の垂直な構成要素において判定された。いくつかのその他の波があるが、その形状は判定されなかった。図３５のすべての波は、同じケーブルの軸の上で判定された。しかし、それらは、混合するのを防止するために、個別に描かれた。これらの波およびそれに続く波は、オフスケールで描かれている。これらの波に垂直成分（９８）が、ケーブルの軸上と同じ様式で探知された。言い換えれば、これらの波は互いに直交する２つの成分からなる。それらは形の点で電磁波のように見えるが、これらの波の両方の成分は、電気的および磁気的な特徴を示す。これらは、電流が加えられた電磁波と同様である。これらの波の電流も測定された。図３５での波Ｎｏ．１の電流（８８）が２２Ａ／ｄｍとして測定され、波Ｎｏ．２の電流（８９）が４３Ａ／ｄｍとして測定され、波Ｎｏ．３の電流（９０）が６３Ａ／ｄｍとして測定され、波Ｎｏ．４の電流（９１）が１２Ａ／ｄｍとして測定された。これらの波は、井戸の水を含む、井戸の７．５ｍと６０ｍの深度の間の区域において移動されることが観測された。２つの波（９９および１００）の形状が、井戸の第１６メートルにおける水平の水の層において判定された。これらの波の間の波の電流（９９）が７５Ａ／ｄｍとして測定される。井戸の第２２．６メートルにおいての水平層の電流のみが測定されたが、それは１０５Ａ／ｄｍであることが分かった。波の形状が判定された場合、ロッドが交差した点が、石、木などの材料によって記録され、巻尺によって測定された。したがって、測定は非常に正確でもなく、ミリメートル単位のものでもない。そうした理由で、ある程度のずれが、波の長さおよび振幅に生じる。しかし、その形状および寸法が、対象物の理解を促進するために与えられる。ネイルに接続されていないケーブルの端部が絶縁されず、大地に接地する場合、それらの形状は、監視することができない。このとき、ロッドは、交差する点で開く。これは、この場合、電流が大地を介して回路に流れ、電場および磁場が、通常の電磁放射のみが残るこの領域で失われることを意味する。ケーブルの端部が絶縁された場合、電流が到着したケーブルに戻り、したがって、波が監視できる。すなわち、ケーブルは、ある程度その上に波を留める。
【０１１２】
これらの実験に続いて、異なる材料の波に関する実験が行われた。測定ケーブルのネイルが、金のブレスレット（１０１）によって接触され、波の形状がケーブルの上で判定された（１０２）。同じプロセスが、グラファイトの片の上で行われ、グラファイトの波（１０４）が得られた。これらの波は、線で描かれる波のみを含むのではない。線で描かれた波は、最も外側の大きな波である。いくつかの物質では、これらの波に、より小さな入れ子になった波が続く。同じ実験がゴムの片に行われた場合、図４１でのように、ケーブル（３７）の右（１０６）に６０ｍ、および左（１０６）に６０ｍの１２０メートルの幅で、入れ子になった波がケーブルの右および左に生じた。ほぼ９５の波が、ケーブルの右および左の両方で探知された。同じプロセスが、サテン織物に実施された場合、ここでも同様に、１２０ｍの幅でケーブルの各側に２３の入れ子になった波が探知された。羊毛に行われた実験では、３８＋２８＝７６ｍの幅で、互いに相反的にほぼ右に１８の波、および左に１８の波が探知された。これらの相反的な波は、互いに続いている。これらの波は、垂直成分も有する。波の数は、与えられたものに限定されない。これらは、探知できるものである。次いで、金のブレスレットがゴムの片の上に配置され、測定ケーブルのネイルがそれらの両方に接触するように配置され、制御が行われ、ケーブルの上の波を除いて、ゴムの他の波が消滅する。すなわち、金の波がゴムの波を減衰させた。
【０１１３】
同様の実験が、人間の脳に関して行われた。それぞれに従って変わり、ケーブルの右（１０６）に１００ｍ、および左（１０６）に１００ｍの２００メートルの幅で、およそ７２〜８５の入れ子にされた相反的な波が探知された。これらの相反的な波は、互いに続いている。波の数は、これらに限定されない。これらは、探知できるものである。さらに、これらの波は、そのような多くの垂直成分を有する。言い換えれば、人間の脳は、２００ｍの直径の面積の３１，４１６ｍ２、約３，０００，０００ｍ３の体積に影響を与える。ゴム、サテン、羊毛、および人間の脳の波は、互いに似ている。
【０１１４】
同様の実験が、薄く若いザクロの枝に行われた。約６８ｍの周期、および約１９ｍの振幅を有する波（１０７）が探知された。図４３に与えられた波は、ディーゼルの標本に行われた実験で得られた。
【０１１５】
波の形状が判定される場合、ケーブルは、適切に地面に配置される。ケーブルの一方の端部は、その波が判定されている対象物に接触され、もう一方の端部は絶縁される。このようにして、通常は空間に向かう対象物の波は、水平の位置にされ、監視可能になる。
【０１１６】
これらの実験の結果は、明細書に開示された理論的な洞察を証明した。実験のこれらの結果は、測定ケーブルの端部に接続された導体が、遠くに離れた波を導き、それをケーブル上に集めることができるので、これらの波が電気的および磁気的な特徴を示すことを証明した。一方で、波は、ケーブルを介して任意の所望の方向に伝達できる。すなわち、それらは、ケーブルに連結された電流のように流れることができる。これらの波の平面はケーブルを介して変えることができるので、それらは極性を与えられることが明らかである。これらの波は、通常の電磁波とは異なることも理解されている。波長がメートルで表示できるので、それらは無線波であると言うことができる。しかし、通常の電磁波においては、波の長さが増加するので、そのエネルギーが低下することが知られている。しかし、表８を調査するとき、これらの種類の波によって送られる電流は、波長または周期における増加に比例して増加することが分かる。本発明は、これらの実験の結果によって、新しい次元を得た。明細書に説明されたいくつかの問題が、解決された。例えば、財宝、鉱脈、水の探知では、同様の電流値を与える物質が、波形状を判定すること、および波長、振幅、周波数、周期などの違いによって識別できる。地震または同様の活動中に水を探知する問題が、地震の形状および大きさを判定するときの、水と地震の波の間の違いに補助されて解消された。例えば、これらの実験において、地震波を減衰するプロセスが実験井戸の入口で行われた場合、第１６メートルの水平の波（９９）が一定期間、消滅することが観測された。
【０１１７】
これらの実験まで、地震は、電流の変化を測定することによって監視されてきた。これらの実験の後に、それらは波形状、および波長、振幅、周波数、波の周期などの特徴によっても監視される。特に、連続した地震においては、地震が起こった後に、この地震の波の特徴が判定される。その後、新しい地震の波が判定される。したがって、地震の時間、大きさ、および位置に関する、より信頼性の高い予測が行われる。
【０１１８】
これらの実験は、測定ロッドの移動も説明する。これらの波は、電気的および磁気的な特徴を示すので、ロッドが波の上に来るとき、抵抗が最小である経路を自ずと選好するので、ロッドの上を流れ始める。波の電場によって、ロッドが反対の電荷で帯電するので（図１３）、ロッドは互いに引き付け合う。したがって、ロッドが交差し、短絡回路が生じる。したがって、ロッドが交差する点は、波が流れる線を与える。ロッドが軸受に装着された場合、この場合は、波が短絡するので、手によって持ち運ばれる場合のように明確な作動は生じない。こうした理由で、軸受は異なる絶縁トレイに装着され、２つの軸受の間に絶縁スクリーンを配置することにより、この問題が部分的に解消される。
【０１１９】
これらの実験によって、地下がある点から３次元で監視できる。例えば、大地の上では垂直になる地下の水平層の波のスクリーンが、この水平の波の軸の上を歩くとき、ケーブルによって水平位置（９３）に戻され、この層に交差する垂直の裂け目（９４）がある距離においてロッドは交差する（１５）。したがって、水平層に交差する垂直の裂け目、および形成の限界が判定される。ここでも同様に、測定ケーブルに連結されたネイルが垂直位置でこれらの波に向けて指し示され、それらは水平位置に戻される。このときには、これらの波の形状および電流が探知される。次いで、点ではなく非常に広い領域に、連続的な走査が行われ、その結果が得られる。この水平層の波の境界は、ケーブルの長さによって制限されない。それらは、ケーブルが終端した後でも、水平層の長さに依存して地球上で連続する。
【０１２０】
これらの波は、ケーブルに留まる。例えば、波が探知された対象物と接触されるネイルの端部が、対象物と接触して保持されている場合、ネイルは絶縁テープによって周囲を巻かれる。端部に到達したとき、ネイルの端部も１つの移動で覆われた場合、波がケーブル内に留められる。ネイルの周りに巻きつけられたテープが除去された場合、波が消滅する。
【０１２１】
表８
いくつかの探知された波の特徴：
波の発生源、平均周期、振幅、電流、周期＋
（メートル）、（メートル）、（Ａ／ｄｍ）、２×振幅
------------------------------------------------------------------------------
実験井戸の波Ｎｏ．１(88) 18.3 1.6 22 21.5
実験井戸の波Ｎｏ．２(89) 35.5 2.8 43 41.1
実験井戸の波Ｎｏ．３(90) 52 5.5 63 63
実験井戸の波Ｎｏ．４(91) 13.4 3.7 12 20.8
実験井戸の水平波(99) 58 9 75 76
金の波(102) 6.8 1.6 6-7.5 10
グラファイトの波(104) 6.4 3 8-13.5 12.4
ザクロの木の波(107) 68 19 106 106
表を検討するとき、周期および波の振幅の２倍の合計が、デシメートルにおいての電流の数値に近いことが分かる。
【０１２２】
ネイル（３６）が、蛇口（１０９）から流れる水に浸され、測定ケーブル（３７）がこのネイルに接続された場合、線形のＤＣ電流波（１１０）がケーブルの右および左において生成される。ネイルが水に浸されず、少し高く保持される場合、波は間欠的になる（１１１）。この実験によれば、地下水および他の材料の両方から得られる波の大部分は、ＤＣ電流の波であることが理解される。
【０１２３】
図３３に与えられたレーダシステムによって捕えられた大型旅客航空機がレーダの影響の領域内にあった場合、航空機の波は、ネイルの端部を絶縁テープによってゆっくりと包んだときケーブル内に留まり、次いで波の形状（１１２）が判定された。もちろん、これらは、ケーブルに残ることができる唯一の波である。波の数は、これらに限定されない。
【０１２４】
ケーブルに留まることができるだけでなく、そのような波は、水で満たされたホース内、断層内の地下水、血液、および同様の構造にも留まることができる。それぞれの波は、それを消失される波を有し、これらの留められた波は、その反対の波をこれらの波の上に送ることによって減衰させることができる。
【０１２５】
地震において生成される電流が、そのような波の形で断層および地下水内に集積することも理解される。
本発明および実験は、地震の効果も説明する。例えば、断層における深さ方向の水の厚さが小さいので、蓄積される地震波はわずかである。水平断層の幅はより大きいので、より多くの水が水平の線に蓄積され、したがって、より多くの地震波が蓄積される。こうした理由で、水平のＳ波の破壊的な効果が垂直のＰ波よりも大きくなる。さらに、このようにして、地下水が表面に近く潤沢である、沖積期の土地において、なぜ地震の損害がより多いかが理解される。
【０１２６】
いくつかの戦争において電磁砲を使用し、それによって敵側の兵士を士気喪失させることについての驚くべきニュースを検討すると、使用される波は前記の種類の波である可能性がある。この場合に、そのような心理学上の症候群に曝された人々は、本発明のシステムによって検査され、身体の波が探知される。通常の波以外の波が身体で探知された場合、探知された波を消失させる波が判定される。人々は、前記消失させる波をそこに送ることによって心理学的に治療される。同時に、有害な波が判定され、防衛システムがそのような可能性のある戦争における攻撃に対して形成される。
【０１２７】
大きな波を得る
測定ケーブル（３７）が、標本（１１３）に接続される。前記標本によって生成された波の形状が、測定ロッド（１１４）によって判定される。ステーク（８２）が、波の最上点を横切って打ち込まれる（好ましくは木のステーク）。水平のネイル（６１）が、ステークの鋭端が波の最上点に目標を定めるように、これらのステークに接続される。測定ケーブル（３７）が、ネイルに接続される。これらのケーブルのもう一方の端部が、標本に接続された測定ケーブルの端部と波の端部において接続される（１１７）。端部が接続される点において始まるより大きな波（１１５）が生成される。同じプロセスが、この第２の波に行われた場合、より大きな波（１１６）が得られる。これらのプロセスを継続することにより、次第により大きな波が得られる。第１または第２の最上点において接続を実施することにより、結果が変わることはない。例えば、鉄マンガン鉱の標本に行われるそのような実験では、第１の波（１１４）の電流が２７Ａ／ｄｍに測定され、第２の波（１１５）の電流が１０５Ａ／ｄｍに測定され、第４の波の電流が４５０〜５００Ａ／ｄｍに測定される。そのような大きな波を得る第２の様式は以下のようになる。異なる標本が同じ物質から採取され、個別のケーブルが各標本に接続され、ケーブルのもう一方の端部が互いに接続され、そこで波は存在しなくなり、より大きな波が得られる。これらの実験の間に、人工地震波が土地で誘発され、実験の後に、地震波を消失させるためのプロセスが行われ、条件が通常に戻されることが観測される。
【０１２８】
そのような大きな波は、ゴム、サテン、羊毛などの物質の波の最上点を連結することによって得ることはできない。これは、そのような相反的な波は、異なる波ではなく、同じ波の往復であることを意味する。ケーブルからより大きな波を得るために、異なる標本が採取され、個別のケーブルが各標本に接続され、これらのケーブルのもう一方の端部が互いに接続され、そこで波は存在しなくなり、より大きな波が得られる。例えば、ゴムの波の最も外側の波の電流は、約４２８Ａ／ｄｍに測定され、２つのゴムの標本の波が互いに接続された場合、８００Ａ／ｄｍの電流を有する波が得られた。したがって、物質の波を結合することにより、より大きな波が得られる。
【０１２９】
コイルワイヤ、水で満たされた測定ホース、ケーブルの代替として使用される光ファイバを使用して、「デバイスによって測定された特徴」の章に説明されるように、波の形状を判定し、その電流を測定するなどの実験を行うことによって、同じ結果を得ることができる。
【０１３０】
１４．通信方法
このシステムにおいて生成された波が、通信の目的に使用される。人間の演説、動物の声、テレビおよびコンピュータのモニタが同様の波を生成することが、行われた実験において判定される。音の波ならびに画像の波の形状および電流が判定される。次いで、さらなる対象物および生命体がネイルおよびケーブルを測定することによって目標を定められる。ケーブルの上で生成された波の電流が測定され、その特徴が判定され、したがって、そこでの演説が識別され、画像が得られる。または、これらの波に従って、ラジオおよびテレビでの設計において変更を行うことによって通信がもたらされる。このシステムによって、人間が告げようとしていることだけでなく、その他の生命体が告げようとしていることも分析される。これらの波は次元跳躍の特徴を有するので、惑星、恒星、銀河の間の通信をこれらの種類の波によって得ることができる。このシステムでは、生命および物質によって放出された中立波が使用されるので、送信ステーションの設ける必要がない。これらの波は、空間に向かって放出されるので、それらが別の場所に伝達されたことを確実にする目的で、それらを測定ネイル、ロッド、およびケーブルによって水平位置にし、互いに面する地球上の点において特定の間隔で水平導電性ロッドおよびケーブルを配置することによって、それらが１つの場所から別の場所に伝達されることが確かになる。
【符号の説明】
【０１３１】
１  ロッドのハンドル
２  カウンタウェイト
３  コイル
４  ロッドおよびロッドを簡単に概略的に示す
５  コイルを長手方向に巻く
６  接続ケーブル
７  ロッドのボウ形状
８  並列接続の形のうちの１つ
９  軸受
１０  バネまたは振り子
１１  軸受が接続されるトレイ
１２  導電性石炭のロッド
１３  導電性石炭のロッドがそこから電流を受ける導電性トレイ
１４  小型玉軸受
１５  測定デバイスの走査を簡単に示す（ロッドの交差）
１６  測定デバイスの電流測定を簡単に示す（図１７）
１７  ロッドを保持する手
１８  ロッドを保持する手および軸受
１９  電流計
２０  電流制御器
２１  オン／オフ・スイッチ
２２  バッテリおよび蓄電池
２３  ＡＣまたはＤＣ電流変成器
２４  自動電流制御器
２５  プログラム可能な電子頭脳
２６  電流値をコンピュータに伝達する電子回路
２７  コンピュータ
２８  コイル冷却システム
２９  センサ
３０  断層の裂け目
３１  断層幅
３２  断層方向
３３  ロッドの振動方向
３４  ロッド間の距離
３５  断層の裂け目の垂直成分
３６  測定ネイル
３７  測定ケーブル
３８  ロッドが交差する点においての断層の活動の深度
３９  異なる点においての断層の活動の深度
４０  上の大地
４１  大地の垂直断面
４２  ネイルが打ち込まれる場所と、測定が行われる点との間の水平距離
４３  ネイルが打ち込まれる場所と、測定が行われる点との間の高度差
４４  ネイルが打ち込まれる場所の測定された実際の深さ
４５  水のレベル
４６  水が始まる深度
４７  第２の帯水層が始まる深度
４８  第３の帯水層が始まる深度
４９  水の層が終端する深度
５０  水の上の層
５１  第１の帯水層
５２  第２の帯水層
５３  第３の帯水層
５４  不透水層
５５  池の形の地下水貯留槽
５６  池の形の地下水貯留槽の境界
５７  池の形の地下水貯留槽の開始深度
５８  池の形の水の第１の帯水層
５９  池の形の水の第２の帯水層
６０  地下河川の境界
６１  方向（標的）ロッドまたはネイル
６２  方向トレイ
６３  地下河川が流れる深度
６４  地下河川の深度
６５  地下河川の方向
６６  地下河川の流れ方向に関する試験
６７  地震において電流が一定のままになる最初のときまでの期間
６８  地震の時間
６９  鉱脈レンズ（ヘッド）の境界
７０  鉱脈の深度
７１  鉱脈レンズの厚さ
７２  異なるタイプのアンテナ
７３  異なるタイプのアンテナ
７４  異なるタイプのアンテナ
７５  望遠鏡
７６  惑星
７７  広い直径の走査ディスク
７８  望遠鏡および広い直径のディスク用のコンピュータ制御作動システム
７９  レーダ用作動システム
８０  飛行物体
８１  半球形導電性アンテナ
８２  ステーク
８３  遠くの丘に配置された導電性ロッド
８４  ロッドが交差する点を接続する波の曲線
８５  地下の水平の水の層の垂直の波のスクリーンの線
８６  実験井戸における水の層の上方レベル
８７  実験井戸における水の層の下方レベル
８８  実験井戸において得られた波Ｎｏ．１
８９  実験井戸において得られた波Ｎｏ．２
９０  実験井戸において得られた波Ｎｏ．３
９１  実験井戸において得られた波Ｎｏ．４
９２  波スクリーン
９３  水平位置における波のスクリーンの調査
９４  水平の波に直交して交差する断裂の波の軸
９５  測定ケーブルに直交してその波が定められる標本の想像上の水平軸
９６  測定ケーブルに直交してその波が定められる標本の想像上の垂直軸
９７  波の水平成分
９８  波の垂直成分
９９  実験井戸における水平の水の層の波
１００  実験井戸における水平の水の層の波
１０１  金のブレスレット
１０２  金の波
１０３  グラファイト標本
１０４  グラファイトの波
１０５  その波が判定される標本
１０６  波が配置される幅
１０７  ザクロの木の波
１０８  ディーゼルの標本
１０９  蛇口
１１０  線形のＤＣ電流波
１１１  間欠的なＤＣ電流波
１１２  大型旅客航空機の波
１１３  波の発生源
１１４  標本の上に形成される第１の波
１１５  波の干渉によって得られた第２の波
１１６  波の干渉によって得られた第３の波
１１７  ケーブルが接続される第１の点
１１８  ケーブルが接続される第２の点
１１９  リングの周りのコイルの巻き
１２０  ディスクの周りのコイルの巻き
１２１  異なる形状の測定ボウ
１２２  平坦な形状の測定ロッド
【図１】
2010534850.tif 000003
【図２】
2010534850.tif 000004
【図３】
2010534850.tif 000005
【図４】
2010534850.tif 000006
【図５】
2010534850.tif 000007
【図６】
2010534850.tif 000008
【図７】
2010534850.tif 000009
【図８】
2010534850.tif 000010
【図９】
2010534850.tif 000011
【図１０】
2010534850.tif 000012
【図１１】
2010534850.tif 000013
【図１２】
2010534850.tif 000014
【図１３】
2010534850.tif 000015
【図１４】
2010534850.tif 000016
【図１５】
2010534850.tif 000017
【図１６】
2010534850.tif 000018
【図１７】
2010534850.tif 000019
【図１８】
2010534850.tif 000020
【図１９】
2010534850.tif 000021
【図２０】
2010534850.tif 000022
【図２１】
2010534850.tif 000023
【図２２】
2010534850.tif 000024
【図２３】
2010534850.tif 000025
【図２４】
2010534850.tif 000026
【図２５】
2010534850.tif 000027
【図２６】
2010534850.tif 000028
【図２７】
2010534850.tif 000029
【図２８】
2010534850.tif 000030
【図２９】
2010534850.tif 000031
【図３０】
2010534850.tif 000032
【図３１】
2010534850.tif 000033
【図３２】
2010534850.tif 000034
【図３３】
2010534850.tif 000035
【図３４】
2010534850.tif 000036
【図３５】
2010534850.tif 000037
【図３６】
2010534850.tif 000038
【図３７】
2010534850.tif 000039
【図３８】
2010534850.tif 000040
【図３９】
2010534850.tif 000041
【図４０】
2010534850.tif 000042
【図４１】
2010534850.tif 000043
【図４２】
2010534850.tif 000044
【図４３】
2010534850.tif 000045
【図４４】
2010534850.tif 000046
【図４５】
2010534850.tif 000047
【図４６】
2010534850.tif 000048
【図４７】
2010534850.tif 000049
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
惑星、月、太陽、恒星、銀河、超新星およびブラックホールの電流を測定する探知デバイスであって、その電場および磁場を判定し、惑星および銀河の水および生命の痕跡を探索し、波形状を判定し、天体の波の特徴を探知し、人間の脳および身体のエネルギーを測定し、その波モデルを判定することにより、病気を診断および治療し、内部の臓器の構造を解明し、レーダとして使用されることによって空、陸地、および海の乗り物によって生成された電波および磁気波を捕捉し、鉱物、岩、および様々な物質の化学組成内の成分を探知し、有機化合物の化学結合構造を解明し、植物の電流値を測定し、火炎および炎の電流を測定し、３次元で地下の構造を調査し、地質学的断層、地下水、鉱脈、および石油貯留槽を探知し、地震を予測および探知し、人工地震波を生成し、カウンタ波を送ることにより地震波を消失させ、生命体によって放出された波を通信手段に使用する探知デバイスにおいて、それ自体の軸の周りで回転可能な測定ロッドおよびツール（４）、平坦な測定ロッドおよびツール（１２２）、測定ボウおよびツール（７、１２１）、コイルワイヤ（３、５）、周りに巻かれたロッド（４、１２２）およびボウ（７、１２１）、電流計（１９）、電流制御器（２０）、オン／オフ・スイッチ（２１）、電源（２２、２３）、測定ケーブル（３７）およびネイル（３６）、水で満たされ導体によって測定ネイル（３６）に接続された測定ホース、方向トレイ（６２）、ロッド用軸受（９、１８）、カウンタウェイト（２）、バネおよび振り子（１０）、導電性石炭ロッド（１２）、導電性トレイ（１３）、接続ケーブル（６）、組立てスタンドおよびテーブル（１１）、および磁石によって特徴付けられる探知デバイス。
【請求項２】
自動電流制御器（２４）、センサ（２９）、プログラム可能な電子頭脳（２７）、電流計によって測定された電流値をコンピュータに伝達する電子回路（２６）、コンピュータ（２７）、前記コンピュータに接続されたプリンタ、およびコイル冷却システム（２８）を備えることを特徴とする、固定されたステーションにおける測定用の、請求項１に記載の探知デバイス。
【請求項３】
望遠鏡（７５）、ターゲットネイルおよびロッド（６１、８３）、ブロード（７２）、ワイヤ（７４）、皿形状（７３）アンテナ、広い直径の走査ディスク（７７）、および望遠鏡、アンテナ、および走査ディスク用の作動システム（７８）を備えることを特徴とする、月、惑星、恒星、太陽、銀河などの天体の詳細な調査のための、請求項１および２に記載の探知デバイス。
【請求項４】
前記測定ロッドおよびボウ（４、７、１２１、１２２）が帯電の特徴を有する材料から作製されることを特徴とする、請求項１から３に記載の探知デバイス。
【請求項５】
前記測定ロッドおよびボウ（４、７、１２１、１２２）が任意の種類の金属および合金から作製されることを特徴とする、請求項１から４に記載の探知デバイス。
【請求項６】
前記測定ロッドおよびボウ（４、７、１２１、１２２）がグラファイトから作製されることを特徴とする、請求項１から５に記載の探知デバイス。
【請求項７】
地球の核までの距離を感知できるようにする長さに調整されるとき、地球から到達する波を安定化させる電流およびこれらの波によって生成された電場および磁場を測定し、波形状を判定し、波の特徴を識別することによって、前記地球の深度における地質学的な、地球化学的な、電気的な、および磁気的な構造を解明する、測定ケーブルおよびホース（３７）によって特徴付けられた、請求項１から６に記載の探知デバイス。
【請求項８】
波の最上点に向けられたネイルに接続された前記測定ケーブルが、互いに接続され、または異なる標本に接続された前記測定ケーブル（１１７、１１８）が、小さな波から大きな波を得るために互いに接続されることを特徴とする、請求項１から７に記載の探知デバイス。
【請求項９】
互いに反発し合うように前記ロッド（４、１２２）に接続され、測定される対象物の磁場の力を安定化させるために加え、除去される磁石を特徴とする、請求項１から８に記載の探知デバイス。
【国際調査報告】
2010534850.tif 000050
2010534850.tif 000051
2010534850.tif 000052